(57)【特許請求の範囲】
【請求項１】
金属コロイド粒子及び溶媒を含むペーストで構成された無機素材用接合剤であって、前記金属コロイド粒子が、金属ナノ粒子（Ａ）と分散剤（Ｂ）とで構成されるとともに、前記金属ナノ粒子（Ａ）が、数平均粒子径５０ｎｍ以下であり、かつ粒子径１００〜２００ｎｍの金属ナノ粒子を含有する無機素材用接合剤であって、
前記金属ナノ粒子（Ａ）を構成する金属が、周期表第８及び１Ｂ族金属からなる群より選択された少なくとも１種であり、
前記金属ナノ粒子（Ａ）が、粒子径１００ｎｍ未満の金属ナノ粒子（Ａ１）と粒子径１００〜２００ｎｍの金属ナノ粒子（Ａ２）とで構成され、かつ両者の体積比率が、前者／後者＝９０／１０〜３０／７０である無機素材用接合剤。
【請求項２】
金属ナノ粒子（Ａ）を構成する金属が、少なくとも貴金属を含む金属であり、分散剤（Ｂ）が、窒素原子を有する基、ヒドロキシル基及びカルボキシル基からなる群から選択された少なくとも一種を有する凝集助剤（Ｂ１）と、高分子分散剤（Ｂ２）との組み合わせである請求項１記載の無機素材用接合剤。
【請求項３】
金属ナノ粒子（Ａ）を構成する金属が銀であり、凝集助剤（Ｂ１）がＣ１−６脂肪族カルボン酸であり、かつ分散剤（Ｂ）の割合が、金属ナノ粒子（Ａ）１００質量部に対して５質量部以下である請求項２記載の無機素材用接合剤。
【請求項４】
ペーストがさらに粒子径２００ｎｍ以上の金属粉末を含む１〜３のいずれかに記載の無機素材用接合剤。
【請求項５】
少なくとも接合面が金属を含む無機素材（Ｃ１）と少なくとも接合面が金属を含む無機素材（Ｃ２）との間に請求項１〜４のいずれかに記載の無機素材用接合剤を介在させて、前記無機素材用接合剤を焼結する無機素材の接合方法。
【請求項６】
無機素材（Ｃ１）及び無機素材（Ｃ２）の少なくとも一方の接合面に貴金属、銅又はニッケルが存在する請求項５記載の接合方法。
【請求項７】
貴金属が金、銀又はパラジウムである請求項６記載の接合方法。
【請求項８】
請求項５〜７のいずれかの方法により得られた無機素材の接合体。
【請求項９】
接合面の面積が０．００１〜３ｍｍ２である請求項８記載の接合体。
【請求項１０】
無機素材で構成された基板にワイヤー状の無機素材が接合されている請求項８又は９記載の接合体。
【発明の詳細な説明】
【技術分野】
【０００１】
本発明は、金属コロイド粒子を含むペーストで構成された無機素材用接合剤、この接合剤を用いて無機素材を接合した無機素材の接合体及びその製造方法に関する。
【背景技術】
【０００２】
従来から、金属などで構成された無機素材同士を接合する方法としては、溶接棒を介して接合部に電流を流して加熱することにより金属同士を接合する溶接が知られている。しかし、溶接による接合方法は、金属を溶融させるために高い温度で加熱する必要があり、作業性や生産性が低く、微細で複雑な素材や接触面積の大きい素材では接合が困難である。
【０００３】
このような課題を解決するための接合方法として、特許第３７７２９５７号公報（特許文献１）には、有機系の物質で被覆された粒径が１〜１００ｎｍの金属超微粒子からなる層を２個の金属体の層間に配置し、加熱、加圧又は通電することにより融合層を形成して金属を接合する方法が開示されている。この文献には、有機系の物質として、有機金属化合物又は金属に対して化学吸着性を有する官能基を含む有機物活性が記載されている。また、前記金属超微粒子は、溶媒中に高濃度で分散して配置されたペースト状をなし、ステアリン酸金属塩などの脂肪酸金属塩を２００〜６００℃程度で加熱分解することにより調製できることが記載されている。さらに、金属超微粒子は、脂肪酸で完全に覆われているため、常温で酸化されるという問題が完全に生じないと記載されている。
【０００４】
しかし、この接合方法で用いられるペースト状金属超微粒子は、金属微粒子の粒径が小さく、表面も完全に有機物で覆われているため、金属微粒子同士の焼結力も低く、低温及び低圧力で焼成すると、金属体の層間の接合力が低下する。従って、高い接合剪断強度を得るためには、焼成時に数ＭＰａ以上の加圧が必要である。さらに、単独の脂肪酸金属塩を使用しているため、金属微粒子に対する保護作用が小さい。従って、室温下でのペーストの保存安定性は低く、金属微粒子の粒径や分散における均一性も低下し易い。
【０００５】
一方、液相法での製造方法によって金属コロイド溶液を調製する技術として、特許第３５９４８０３号公報（特許文献２）には、貴金属又は銅の化合物を、溶媒に溶解し、高分子量顔料分散剤を添加した後、さらにアミンを添加することにより、貴金属又は銅に還元する貴金属又は銅のコロイド溶液の製造方法が開示されている。この文献では、金や銀などの金属コロイド粒子のプラズモン共鳴による発色を利用し、彩度及び着色性の高い塗料組成物を調製することを目的としており、得られるコロイド溶液（ヒドロゾル又はオルガノゾル）は、赤色や黄色の鮮やかな彩色を発色するとともに、３ヶ月貯蔵しても、色の変化や沈殿の生成がなく、極めて安定である。さらに、この溶液に樹脂を添加して塗料を調製して塗膜を形成しても、前記彩色を塗膜に実現できる。特に、この文献では、このような分散安定性を維持するために、高分子量顔料分散剤の含有量及び配合量は、貴金属又は銅１００重量部に対して５０〜１０００重量部であることが記載されている。
【０００６】
しかし、この金属コロイド溶液は、分散安定性が高いため、溶液から金属コロイド粒子を取り出すためには、限外ろ過などの精密な精製作業が必要であり、生産性が低い。さらに、この文献では、プラズモン共鳴による発色を目的とするため、ナノサイズの金属コロイド粒子が凝集することを否定している。
【先行技術文献】
【特許文献】
【０００７】
【特許文献１】特許第３７７２９５７号公報（特許請求の範囲、段落［0010］、［0011］、［0014］）
【特許文献２】特許第３５９４８０３号公報（請求項１、段落［0012］［0037］［0047］、実施例）
【発明の概要】
【発明が解決しようとする課題】
【０００８】
従って、本発明の目的は、簡便な方法で、低温及び低圧で焼成しても強固に金属などの無機素材を接合できる無機素材用接合剤、この接合剤を用いて無機素材を接合した無機素材の接合体及びその接合方法を提供することにある。
【０００９】
本発明の他の目的は、接合面積が小さくても強固に無機素材を接合できる無機素材用接合剤、この接合剤を用いて無機素材を接合した無機素材の接合体及びその接合方法を提供することにある。
【課題を解決するための手段】
【００１０】
本発明者らは、前記課題を達成するため鋭意検討した結果、金属コロイド粒子に含まれる金属ナノ粒子の粒径分布を制御することにより、簡便な方法で、低温及び低圧で焼成しても強固に金属などの無機素材を接合できることを見出し、本発明を完成した。
【００１１】
すなわち、本発明の無機素材用接合剤は、金属コロイド粒子及び溶媒を含むペーストで構成された無機素材用接合剤であって、前記金属コロイド粒子が、金属ナノ粒子（Ａ）と分散剤（Ｂ）とで構成されるとともに、前記金属ナノ粒子（Ａ）が、数平均粒子径５０ｎｍ以下であり、かつ粒子径１００〜２００ｎｍの金属ナノ粒子を含有する。前記金属ナノ粒子（Ａ）を構成する金属は、周期表第８及び１Ｂ族金属からなる群より選択された少なくとも１種である。前記金属ナノ粒子（Ａ）は、粒子径１００ｎｍ未満の金属ナノ粒子（Ａ１）と粒子径１００〜２００ｎｍの金属ナノ粒子（Ａ２）とで構成され、かつ両者の体積比率が、前者／後者＝９０／１０〜３０／７０程度である。前記金属ナノ粒子（Ａ）を構成する金属は、少なくとも貴金属を含む金属（特に銀）であり、前記分散剤（Ｂ）は、窒素原子を有する基、ヒドロキシル基及びカルボキシル基からなる群から選択された少なくとも一種を有する凝集助剤（Ｂ１）（特にＣ１−６脂肪族カルボン酸）と、高分子分散剤（Ｂ２）とで構成されていてもよい。前記分散剤（Ｂ）の割合は、金属ナノ粒子（Ａ）１００質量部に対して５質量部以下であってもよい。前記ペーストは、さらに粒子径２００ｎｍ以上の金属粉末を含んでいてもよい。
【００１２】
本発明には、少なくとも接合面が金属を含む無機素材（Ｃ１）と少なくとも接合面が金属を含む無機素材（Ｃ２）との間に前記無機素材用接合剤を介在させて、前記無機素材用接合剤を焼結する無機素材の接合方法も含まれる。この方法において、前記無機素材（Ｃ１）及び無機素材（Ｃ２）の少なくとも一方の接合面に貴金属（例えば、金、銀、パラジウムなど）、銅又はニッケルが存在していてもよい。
【００１３】
また、本発明には、前記方法により得られた無機素材の接合体も含まれる。本発明の無機接合体は、特別に加圧することなく作製しても、高い接合力を示し、接合面の面積が３ｍｍ２以下であってもよい。このような無機接合体は、接合面が無機素材で構成された板状接合体に限らず、箔やワイヤー状の接合体などであってもよい。
【００１４】
さらに、本発明には、少なくとも接合面が金属を含む無機素材（Ｃ１）と少なくとも接合面が金属を含む無機素材（Ｃ２）との間に銀で構成された接合層が形成された接合体であって、前記接合層の接合面の面積が０．００１〜３ｍｍ２であり、かつ前記無機素材（Ｃ１）又は前記無機素材（Ｃ２）との剪断強度が６０ＭＰａ以上である無機素材の接合体も含まれる。
【発明の効果】
【００１５】
本発明では、特定の粒度分布（ナノメータオーダーでブロードな分布）を有する金属ナノ粒子を含む金属コロイド粒子を使用するので、簡便な方法で、低温及び低圧で焼成しても強固に金属などの無機素材を接合できる。本発明の無機接合体は、接合面積が小さくても、高い接合力を有するため、板状接合体に限らず、箔やワイヤー状の接合体などであってもよい。
【図面の簡単な説明】
【００１６】
【図１】図１は、実施例１で得られた銀コロイド粒子の粒度分布を示すグラフである。
【図２】図２は、実施例２で得られた銀コロイド粒子の粒度分布を示すグラフである。
【図３】図３は、実施例３で得られた銀コロイド粒子の粒度分布を示すグラフである。
【図４】図４は、比較例１で得られた銀コロイド粒子の粒度分布を示すグラフである。
【図５】図５は、比較例２で得られた銀コロイド粒子の粒度分布を示すグラフである。
【図６】図６は、実施例で得られた接合体の剪断強度と接合面積との関係を示すグラフである。
【図７】図７は、接合面積が５ｍｍ２以下を示す実施例について図６を拡大したグラフである。
【発明を実施するための形態】
【００１７】
［無機素材用接合剤］
本発明の無機素材用接合剤は、金属コロイド粒子及び溶媒を含むペーストで構成されている。
【００１８】
（金属コロイド粒子）
本発明の金属コロイド粒子は、金属ナノ粒子（Ａ）と、分散剤（Ｂ）とで構成されている。
【００１９】
（Ａ）金属ナノ粒子
金属ナノ粒子（Ａ）を構成する金属（金属原子）としては、例えば、遷移金属（例えば、チタン、ジルコニウムなどの周期表第４Ａ族金属；バナジウム、ニオブなどの周期表第５Ａ族金属；モリブデン、タングステンなどの周期表第６Ａ族金属；マンガンなどの周期表第７Ａ族金属；鉄、ニッケル、コバルト、ルテニウム、ロジウム、パラジウム、レニウム、イリジウム、白金などの周期表第８族金属；銅、銀、金などの周期表第１Ｂ族金属など）、周期表第２Ｂ族金属（例えば、亜鉛、カドミウムなど）、周期表第３Ｂ族金属（例えば、アルミニウム、ガリウム、インジウムなど）、周期表第４Ｂ族金属（例えば、ゲルマニウム、スズ、鉛など）、周期表第５Ｂ族金属（例えば、アンチモン、ビスマスなど）などが挙げられる。金属は、周期表第８族金属（鉄、ニッケル、ロジウム、パラジウム、白金など）、周期表第１Ｂ族金属（銅、銀、金など）、周期表第３Ｂ族金属（アルミニウムなど）及び周期表第４Ｂ族金属（スズなど）などであってもよい。なお、金属（金属原子）は、分散剤（Ｂ）に対する配位性の高い金属、例えば、周期表第８族金属、周期表第１Ｂ族金属などである場合が多い。
【００２０】
金属ナノ粒子（Ａ）は、前記金属単体、前記金属の合金、金属酸化物、金属水酸化物、金属硫化物、金属炭化物、金属窒化物、金属ホウ化物などであってもよい。これらの金属ナノ粒子（Ａ）は単独で又は二種以上組み合わせて使用できる。金属ナノ粒子（Ａ）は、通常、金属単体粒子、又は金属合金粒子である場合が多い。なかでも、金属ナノ粒子（Ａ）を構成する金属は、少なくとも銀などの貴金属（特に周期表第１Ｂ族金属）を含む金属（金属単体及び金属合金）、特に貴金属単体（例えば、銀単体など）であるのが好ましい。
【００２１】
金属ナノ粒子（Ａ）はナノメーターサイズである。例えば、本発明の金属コロイド粒子における金属ナノ粒子（Ａ）の数平均粒子径（数平均一次粒子径）は５０ｎｍ以下（例えば、１〜５０ｎｍ）、好ましくは１．５〜４５ｎｍ、さらに好ましくは２〜４０ｎｍ（特に５〜４０ｎｍ）程度であってもよく、通常１０〜４０ｎｍ（例えば、２０〜３５ｎｍ）程度であってもよい。
【００２２】
また、金属ナノ粒子（Ａ）は、前記数平均粒子径を有するとともに、後述するように２００ｎｍ以下の範囲で広い粒度分布を示すが、２００ｎｍを超える粗大粒子をほとんど含んでいなくてもよい。そのため、前記金属ナノ粒子（Ａ）の最大一次粒子径は、例えば、２００ｎｍ以下、好ましくは１００〜２００ｎｍ、さらに好ましくは１２０〜２００ｎｍ（特に１５０〜２００ｎｍ）程度の範囲にあってもよい。
【００２３】
（Ｂ）分散剤
分散剤（Ｂ）は、金属ナノ粒子表面を被覆していてもよく、金属ナノ粒子表面に対して親和性の又は結合可能な官能基を有する凝集助剤（Ｂ１）と、高分子分散剤（Ｂ２）とで構成されている。
【００２４】
（Ｂ１）凝集助剤（低分子凝集助剤）
凝集助剤（Ｂ１）は、金属ナノ粒子に作用して溶媒中で、後述する高分子分散剤によるコロイド粒子の分散性を制御する成分、例えば、低分子の有機化合物であり、かつ金属ナノ粒子に対して物理的又は化学的に親和性を有するか又は結合（水素結合、イオン結合、配位結合などの化学結合など）可能な部位を有する成分であればよい。特に、溶媒中で、金属ナノ粒子の成長（粒径の増大）を抑制しつつ、コロイド粒子の凝集を適度に促進するためには、低分子の凝集助剤が金属ナノ粒子の表面に配位して結合するのが好ましい。そのため、好ましい凝集助剤は金属ナノ粒子に配位する親和性化合物又は配位性化合物ということもできる。
【００２５】
凝集助剤（Ｂ１）は、通常、金属ナノ粒子に配位可能な官能基（又は金属原子に対する親和性基）を有している。このような官能基としては、ハロゲン原子を有する基などであってもよいが、通常、ヘテロ原子（窒素原子、酸素原子、硫黄原子、リン原子など）、代表的には、窒素原子、酸素原子、及び硫黄原子から選択された少なくとも１種のヘテロ原子を有する基（官能基）である場合が多い。官能基は、同種又は異種の複数のヘテロ原子を有していてもよい。官能基は塩（ナトリウム塩などのアルカリ金属塩、アンモニウム塩など）を形成していてもよい。
【００２６】
なお、本明細書において、「配位可能」「配位性」とは、金属に対して電子供与可能であることを意味し、必ずしも実際に金属原子に配位しなくてもよい。そのため、「配位性化合物」は、電子供与可能な（又は電子供与可能な基を有する）化合物であればよく、金属に対して配位していなくてもよい。
【００２７】
具体的な官能基としては、窒素原子を有する基［アミノ基、置換アミノ基（ジアルキルアミノ基など）、イミノ基（−ＮＨ−）、アミド基（−ＣＯＮ＜）、シアノ基、ニトロ基、窒素環基（ピリジル基などの５〜８員窒素環基、カルバゾール基、モルホリニル基など）など］、酸素原子を有する基［ヒドロキシル基、エーテル基、カルボキシル基、アルコキシ基（例えば、メトキシ基、エトキシ基、プロポキシ基、ブトキシ基などのＣ１−６アルコキシ基）、ホルミル基、カルボニル基（−ＣＯ−）、エステル基（−ＣＯＯ−）、酸素環基（テトラヒドロピラニル基などの５〜８員酸素環基など）など］、硫黄原子を有する基［例えば、チオ基（−Ｓ−）、チオール基（−ＳＨ）、チオカルボニル基（−ＳＯ−）、アルキルチオ基（メチルチオ基、エチルチオ基などのＣ１−４アルキルチオ基など）、スルホ基、スルファモイル基、スルフィニル基（−ＳＯ２−）など］、これらの塩を形成した基などが例示できる。
【００２８】
このような官能基を有する凝集助剤のうち、金属ナノ粒子を被覆する凝集助剤としては、窒素原子を有する基、ヒドロキシル基及びカルボキシル基からなる群から選択された少なくとも一種の官能基を有する化合物が好ましい。このような化合物には、アミン類、アミド類、ヒドロキシ化合物、カルボン酸類などが含まれる。
【００２９】
（アミン類）
アミン類は、モノアミン類、ポリアミン類を含み、さらに第１級〜第３級アミンに分類される。
【００３０】
モノアミン類のうち、第１級アミンとしては、例えば、モノアルキルアミン類［例えば、メチルアミン、エチルアミン、プロピルアミン、ブチルアミン、ペンチルアミン、ヘキシルアミン、ヘプチルアミン、オクチルアミン（ｎ−オクチルアミン、２−エチルへキシルアミンなど）、ノニルアミン、デシルアミンなどのＣ１−１０アルキルアミンなど］、アルカノールアミン［例えば、モノエタノールアミン（２−アミノエチルアルコール）、モノプロパノールアミン、モノイソプロパノールアミン、ブタノールアミン、ヘキサノールアミン、２−アミノ−２−メチル−１−プロパノール、２−アミノ−２−メチル−１，３−プロパンジオールなどのモノＣ２−６アルカノールアミン又はこれらのエチレンオキサイド付加体など］、シクロアルキルアミン類（例えば、シクロペンチルアミン、シクロヘキシルアミンなどのＣ４−１０シクロアルキルアミン）、アリールアミン類（例えば、アニリン、トルイジン、アニシジン、フェネチジン、アミノナフタレンなどのＣ６−１０アリールアミン）、アラルキルアミン類（例えば、ベンジルアミンなど）などが挙げられる。
【００３１】
第２級アミンとしては、例えば、ジアルキルアミン類（例えば、ジメチルアミン、ジエチルアミン、ジプロピルアミン、ジイソプロピルアミン、ジブチルアミンなどのジＣ１−１０アルキルアミンなど）、アルキルアルカノールアミン類（例えば、Ｎ−メチルエタノールアミンなどのＮ−Ｃ１−３アルキルモノＣ２−６アルカノールアミン又はこれらのエチレンオキサイド付加体など）、ジアルカノールアミン（例えば、ジエタノールアミン、ジプロパノールアミン、ジイソプロパノールアミンなどのジＣ２−６アルカノールアミン又はこれらのエチレンオキサイド付加体など）、アルキルシクロアルキルアミン類（例えば、メチルシクロヘキシルアミンなど）、アルキルアリールアミン類（例えば、Ｎ−メチルアニリンなど）、アルキルアラルキルアミン類（例えば、Ｎ−メチルベンジルアミンなど）、環状アミン類（例えば、ピロリジン、ピペリジン、ヘキサメチレンイミン、モルホリンなどの５〜８員環状アミンなど）などが挙げられる。
【００３２】
第３級アミンとしては、例えば、トリアルキルアミン類（例えば、ジメチルエチルアミン、ジエチルメチルアミン、トリエチルアミン、トリプロピルアミンなどのトリＣ１−１０アルキルアミンなど）、アルキルアルカノールアミン類［例えば、Ｎ−メチルジエタノールアミンなどのＮ−Ｃ１−３アルキルジＣ２−１０アルカノールアミン又はこれらのエチレンオキサイド付加体、Ｎ，Ｎ−ジメチルエタノールアミン（ジメチルアミノエタノール）、ジメチルアミノプロパノールなどのジＣ１−３アルキルモノＣ２−１０アルカノールアミン又はこれらのエチレンオキサイド付加体など］、トリアルカノールアミン（例えば、トリエタノールアミン、トリプロパノールアミン、トリイソプロパノールアミンなどのトリＣ２−１０アルカノールアミン又はこれらのエチレンオキサイド付加体など）、シクロアルキルジアルキルアミン類（例えば、シクロヘキシルジメチルアミンなど）、ジアルキルアリールアミン類（例えば、Ｎ，Ｎ−ジメチルアニリンなど）、ジアルキルアラルキルアミン類（例えば、Ｎ，Ｎ−ジメチルベンジルアミンなど）、環状アミン類（例えば、ピリジン、ピコリン、キノリン、Ｎ−メチルピロリジン、Ｎ−メチルピペリジンなどの５〜８員環状アミン、１，８−ジアザビシクロ［５．４．０］ウンデセン−１など）などが挙げられる。
【００３３】
ポリアミン類としては、前記モノアミン類に対応するポリアミン類、例えば、鎖状第１級ポリアミン［例えば、アルカンジアミン類（エチレンジアミン、プロピレンジアミン、テトラメチレンジアミン、ヘキサメチレンジアミンなどのＣ２−１０アルカンジアミンなど）、ポリアルキレンポリアミン類（又はポリアルキレンイミン、例えば、ジエチレントリアミン、トリエチレンテトラミン、テトラエチレンペンタアミンなどのポリＣ２−４アルキレンポリアミン）、アルカノールアミン（２−（３−アミノプロピルアミノ）エタノールなど）など］、鎖状第２級ポリアミン（例えば、Ｎ，Ｎ′−ジメチルエチレンジアミン、Ｎ，Ｎ′−ジメチル−１，３−ジアミノプロパンなどのアルカンアミンなど）、鎖状第３級ポリアミン（例えば、Ｎ，Ｎ，Ｎ′，Ｎ′−テトラメチルエチレンジアミン、Ｎ，Ｎ，Ｎ′，Ｎ′−テトラメチル−１，３−ジアミノプロパンなどのアルカンアミンなど）、芳香族第１級ポリアミン（例えば、キシリレンジアミンなど）、芳香族第２級ポリアミン（例えば、Ｎ，Ｎ′−ジメチルキシリレンジアミンなど）、芳香族第３級ポリアミン（例えば、Ｎ，Ｎ，Ｎ′，Ｎ′−テトラメチルキシリレンジアミンなど）、複素環式第２級ポリアミン（例えば、ピペラジン、１，４，８，１１−テトラアザシクロテトラデカン、トリエチレンジアミンなど）、複素環式第３級ポリアミン（ピリミジン、Ｎ，Ｎ′−ジメチルピペラジンなど）などが挙げられる。
【００３４】
これらのアミン類は、単独で又は２種以上組み合わせてもよい。これらのアミン類のうち、Ｃ１−１０アルキルアミン（例えば、メチルアミン、エチルアミン、プロピルアミン、オクチルアミンなど）、モノＣ２−４アルカノールアミン（例えば、モノエタノールアミンなど）、ジＣ１−３アルキルアミン（例えば、ジメチルアミン、ジエチルアミンなど）、Ｎ−Ｃ１−３アルキルモノＣ２−６アルカノールアミン（例えば、Ｎ−メチルエタノールアミンなど）、ジＣ２−４アルカノールアミン（例えば、ジエタノールアミンなど）、トリＣ１−３アルキルアミン（例えば、ジメチルエチルアミン、ジエチルメチルアミン、トリエチルアミンなど）、Ｎ−Ｃ１−３アルキルジＣ２−６アルカノールアミン（例えば、Ｎ−メチルジエタノールアミンなど）、ジＣ１−３アルキルモノＣ２−６アルカノールアミン（例えば、Ｎ，Ｎ−ジメチルエタノールアミンなど）などが好ましい。さらに、これらのアミン類のうち、親水性又は水溶性アミンが特に好ましい。
【００３５】
（アミド類）
アミド類としては、例えば、ホルムアミド、アセトアミド、プロピオン酸アミド、酪酸アミド、カプリル酸アミドなどのＣ１−１０アシルアミド類、Ｎ−メチルホルムアミド、Ｎ−メチルアセトアミド、Ｎ−メチルプロピオン酸アミド、Ｎ−メチル酪酸アミド、Ｎ−メチルカプリル酸アミド、Ｎ，Ｎ−ジメチルホルムアミド、Ｎ，Ｎ−ジメチルアセトアミド、Ｎ，Ｎ−ジメチルプロピオン酸アミド、Ｎ，Ｎ−ジメチル酪酸アミド、Ｎ，Ｎ−ジメチルカプリル酸アミドなどのモノ又はジＣ１−４アルキルＣ１−１０アシルアミド類、シュウ酸アミド、マロンアミド、コハク酸アミド、グルタール酸アミド、アジピン酸アミド、ピメリン酸アミド、コルク酸アミド、アゼライン酸アミド、セバシン酸アミド、ドデカンニ酸アミドなどのＣ２−１０脂肪族ジカルボン酸アミドなどが挙げられる。
【００３６】
これらのアミド類は、単独で又は二種以上組み合わせて使用できる。これらのアミド類のうち、アセトアミド、プロピオン酸アミドなどのＣ１−４アシルアミド、Ｎ−メチルホルムアミド、Ｎ−メチルアセトアミド、Ｎ−メチルプロピオン酸アミド、Ｎ，Ｎ−ジメチルホルムアミド、Ｎ，Ｎ−ジメチルアセトアミドなどのモノ又はジＣ１−２アルキルＣ１−４アシルアミドが好ましい。さらに、これらのアミド類のうち、親水性又は水溶性アミドが特に好ましい。
【００３７】
（ヒドロキシ化合物）
ヒドロキシ化合物としては、例えば、アルカノール類（例えば、メタノール、エタノール、イソプロパノール、ブタノール、ペンタノール、ヘキサノール、オクタノール、デカノール、ドデカノール、オクタデカノールなどのＣ１−２０アルカンモノオール）、シクロアルカノール類（例えば、シクロヘキサノールなど）、アルカンジオール類（例えば、エチレングリコール、プロピレングリコール、ブタンジオールなどのＣ２−６アルカンジオールなど）、ポリアルキレングリコール類（例えば、ジエチレングリコール、ジプロピレングリコール、トリエチレングリコール、ポリエチレングリコールなどのポリＣ２−４アルキレングリコールなど）、アラルキルアルコール類（例えば、ベンジルアルコールなど）、多価アルコール類（例えば、グリセリン、ポリグリセリンなど）などが挙げられる。
【００３８】
これらのヒドロキシ化合物は、単独で又は二種以上組み合わせて使用できる。これらのヒドロキシ化合物のうち、Ｃ１−４アルカノール（例えば、メタノール、エタノールなど）、Ｃ２−４アルカンジオール（例えば、エチレングリコールなど）、グリセリンなどが好ましい。さらに、これらのヒドロキシ化合物のうち、親水性又は水溶性のヒドロキシ化合物が特に好ましい。
【００３９】
（カルボン酸類）
カルボン酸類には、例えば、モノカルボン酸、ポリカルボン酸、ヒドロキシカルボン酸（又はオキシカルボン酸）、フェノール性水酸基を有するカルボン酸、アミノカルボン酸などが含まれる。
【００４０】
モノカルボン酸としては、例えば、脂肪族モノカルボン酸［飽和脂肪族モノカルボン酸（例えば、ギ酸、酢酸、プロピオン酸、酪酸、カプリル酸、カプロン酸、ヘキサン酸、カプリン酸、ラウリン酸、ミリスチン酸、ステアリン酸、シクロヘキサンカルボン酸、デヒドロコール酸、コラン酸などのＣ１−３４脂肪族モノカルボン酸、好ましくはＣ１−３０脂肪族モノカルボン酸など）、不飽和脂肪族モノカルボン酸（例えば、オレイン酸、エルカ酸、リノール酸、アビエチン酸などのＣ４−３４不飽和脂肪族カルボン酸、好ましくはＣ１０−３０不飽和脂肪族カルボン酸）］、芳香族モノカルボン酸（安息香酸、ナフトエ酸などのＣ７−１２芳香族モノカルボン酸など）などが挙げられる。
【００４１】
ポリカルボン酸としては、例えば、脂肪族ポリカルボン酸［例えば、脂肪族飽和ポリカルボン酸（例えば、シュウ酸、マロン酸、コハク酸、グルタル酸、アジピン酸、アゼライン酸、セバシン酸、シクロヘキサンジカルボン酸などのＣ２−１４脂肪族飽和ポリカルボン酸、好ましくはＣ２−１０脂肪族飽和ポリカルボン酸など）、脂肪族不飽和ポリカルボン酸（例えば、マレイン酸、フマル酸、イタコン酸、ソルビン酸、テトラヒドロフタル酸などのＣ４−１４脂肪族不飽和ポリカルボン酸、好ましくはＣ４−１０脂肪族不飽和ポリカルボン酸など）など］、芳香族ポリカルボン酸（例えば、フタル酸、トリメリット酸などのＣ８−１２芳香族ポリカルボン酸など）などが挙げられる。
【００４２】
ヒドロキシカルボン酸としては、ヒドロキシモノカルボン酸［脂肪族ヒドロキシモノカルボン酸（例えば、グリコール酸、乳酸、オキシ酪酸、グリセリン酸、６−ヒドロキシヘキサン酸、コール酸、デオキシコール酸、ケノデオキシコール酸、１２−オキソケノデオキシコール酸、グリココール酸、リトコール酸、ヒオデオキシコール酸、ウルソデオキシコール酸、アポコール酸、タウロコール酸などのＣ２−５０脂肪族ヒドロキシモノカルボン酸、好ましくはＣ２−３４脂肪族ヒドロキシモノカルボン酸、さらに好ましくはＣ２−３０脂肪族ヒドロキシモノカルボン酸など）、芳香族ヒドロキシモノカルボン酸（サリチル酸、オキシ安息香酸、没食子酸などのＣ７−１２芳香族ヒドロキシモノカルボン酸など）など］、ヒドロキシポリカルボン酸［脂肪族ヒドロキシポリカルボン酸（例えば、タルトロン酸、酒石酸、クエン酸、リンゴ酸などのＣ２−１０脂肪族ヒドロキシポリカルボン酸など）など］などが挙げられる。
【００４３】
フェノール性水酸基を有するカルボン酸としては、例えば、サリチル酸、オキシ安息香酸、プロトカテチュ酸、ゲンチシン酸、レゾルシン酸、オルセリン酸、カフェー酸、ウンペル酸、没食子酸、オキシフタル酸、タンニン酸などが挙げられる。
【００４４】
アミノカルボン酸としては、例えば、グリシン、アラニン、バリン、ロイシン、アミノヘプタン酸、アミノノナン酸などのＣ２−１０アミノカルボン酸、Ｎ−メチルアミノ酢酸、Ｎ，Ｎ−ジメチルアミノ酢酸、Ｎ，Ｎ−ジメチルアミノプロピオン酸、Ｎ，Ｎ−ジメチルアミノ酪酸などのＣ１−４アルキルＣ２−１０アミノカルボン酸などが挙げられる。
【００４５】
なお、これらのカルボン酸は、塩を形成していてもよく、無水物、水和物などであってもよい。なお、カルボン酸は、前記と同様に、塩（特に、アミンとの塩などの塩基性化合物との塩）を形成していない場合が多い。
【００４６】
これらのカルボン酸類は、単独で又は２種以上組み合わせてもよい。これらのカルボン酸類のうち、Ｃ１−２４飽和脂肪族モノカルボン酸（例えば、酢酸、プロピオン酸、ステアリン酸など）、Ｃ４−２４不飽和脂肪族モノカルボン酸（例えば、リノール酸、オレイン酸など）、Ｃ１０−３４縮合多環式脂肪族ヒドロキシカルボン酸（例えば、コール酸など）、Ｃ１０−３４縮合多環式脂肪族カルボン酸（例えば、デヒドロコール酸、コラン酸など）、Ｃ２−１０脂肪族ヒドロキシモノカルボン酸（例えば、グリコール酸、乳酸、オキシ酪酸など）、Ｃ２−１０脂肪族ヒドロキシポリカルボン酸（例えば、酒石酸、クエン酸、リンゴ酸など）、Ｃ２−６アミノカルボン酸（例えば、グリシン、アラニンなど）、Ｃ１−４アルキルＣ２−６アミノカルボン酸（例えば、Ｎ，Ｎ−ジメチルアミノ酢酸、Ｎ，Ｎ−ジメチルアミノプロピオン酸など）などが好ましい。さらに、これらのカルボン酸類のうち、親水性又は水溶性カルボン酸が特に好ましい。
【００４７】
なお、凝集助剤（Ｂ１）の分子量は、例えば、１０００以下（例えば、４６〜９００程度）、好ましくは８００以下（例えば、５０〜７００程度）、さらに好ましくは６００以下（例えば、５５〜５００程度）、特に５５〜３００（例えば、５５〜２００程度）であってもよい。
【００４８】
また、凝集助剤（Ｂ１）のｐＫａ値は、例えば、１以上（例えば、１〜１０程度）、好ましくは２以上（例えば、２〜８程度）であってもよい。
【００４９】
凝集助剤（Ｂ１）は、同種の化合物だけでなく、異種の化合物の組み合わせであってもよいが、カルボン酸のカルボキシル基が金属ナノ粒子との親和性が高いため、少なくともカルボン酸類を含むのが好ましい。カルボン酸類は、単独であってもよく、他の凝集助剤、例えば、アミン類（例えば、ジメチルアミンやオクチルアミンなどのＣ１−１０アルキルアミン、Ｎ−メチルジエタノールアミンやＮ，Ｎ−ジメチルエタノールアミンなどのＣ１−３アルキルＣ２−６アルカノール第３級アミンなど）、アミド類（例えば、Ｎ，Ｎ−ジメチルホルムアミドなど）、ヒドロキシ化合物（例えば、エタノールなどのＣ１−４アルカノールなど）などとの組み合わせであってもよい。
【００５０】
さらに、凝集助剤（Ｂ１）は、コロイド粒子の製造工程において、生成するコロイド粒子が溶媒中で凝集し、かつ焼結膜の形成において、低温で分解して焼結サイトを形成できる点から、炭素数が１〜１８、好ましくは１〜１０、さらに好ましくは１〜６（特に１〜４）程度が好ましい。このような凝集助剤は、焼成温度で金属粒子から脱離又は消失し、焼結サイトを形成することにより金属膜の連続性及び導電性を向上できる。
【００５１】
具体的には、金属ナノ粒子の表面と親和性が高く、凝集性及び焼結性にも優れる点から、前記炭素数を有するカルボン酸類、例えば、ギ酸、酢酸、プロピオン酸、酪酸、吉草酸などのＣ１−１０アルカン酸（アルカンカルボン酸）が好ましく、酢酸やプロピオン酸などのＣ１−６アルカン酸（好ましくはＣ１−４アルカン酸、さらに好ましくはＣ２−３アルカン酸、特に酢酸）がより好ましい。特に、酢酸などのＣ１−４アルカン酸を用いると、金属コロイド粒子が適度に凝集されているためか、燃焼時の割れやボイドの発生が抑制され、緻密で硬質な焼成膜を形成できる。
【００５２】
凝集助剤（Ｂ１）の沸点は、例えば、２００℃以下が好ましく、例えば、８０〜１８０℃、好ましくは９０〜１７０℃、さらに好ましくは１００〜１５０℃（特に１１０〜１３０℃）程度であってもよい。
【００５３】
（Ｂ２）高分子分散剤
本発明では、分散剤（Ｂ）を、前記凝集助剤（Ｂ１）と高分子分散剤（Ｂ２）とで組み合わせて構成する。このような組み合わせで分散剤（Ｂ）を構成することにより、金属ナノ粒子を含む金属コロイド粒子が得られる。特に、前記特定の分散剤（Ｂ）の組み合わせにより、金属ナノ粒子の割合を大きくでき、還元反応工程において、金属コロイド粒子を安定して生成できるとともに、得られた金属コロイド粒子は、生成後は速やかに凝集して沈殿するため、容易に反応液から取り出すことができる。
【００５４】
また、本発明では、分散剤（Ｂ）の割合を比較的少量にしているため、生成した比較的大きな金属コロイド粒子の分散安定性を維持することができず、凝集助剤（Ｂ１）の結合サイトがウイークポイントになって、金属コロイド粒子が生成するとともに、凝集が開始すると考えられる。特に、本発明では、金属コロイドの粒子の凝集は起こるものの、特定の割合で組み合わせた凝集助剤（Ｂ１）と高分子分散剤（Ｂ２）とが金属ナノ粒子を適度に被覆又は粒子間に介在するため、金属ナノ粒子の成長は適度に抑制され、数百ｎｍ単位の金属粒子は生成しない。従って、本発明では、このような作用機構によって、ナノメータサイズの金属コロイド粒子を沈殿物として容易に取り出すことができると推定できる。
【００５５】
さらに、高分子分散剤（Ｂ２）は、その高い保護能力及び分解温度のため、焼成温度も高温でなければ金属ナノ粒子の焼結は起こらず、高分子分散剤のみでは、無機素材の接合力を向上できない。一方、凝集助剤（Ｂ１）は、通常、金属ナノ粒子表面に対する吸着力は弱く、また、気化温度が低い場合が多い。そのため、低温焼成により金属ナノ粒子表面から脱離又は消失し、無機素材の接合力を向上しやすい。特に、金属コロイド粒子が焼成前から凝集してナノ粒子が近接しているためか、金属膜が緻密で硬質となる。
【００５６】
すなわち、本発明では、高分子分散剤と低分子凝集助剤とを組み合わせることにより、金属ナノ粒子表面には高分子分散剤の吸着部、前記凝集助剤の吸着部が形成されている。そして、前記高分子分散剤の吸着部は、強い表面保護能力により安定化されている一方、前記凝集助剤の吸着部は金属ナノ粒子表面から脱離しやすく、低温焼結の反応サイトとしての役割を担う。このような反応サイトは、室温程度の雰囲気においては高分子分散剤の作用により保護されているが、比較的低温での焼成温度（例えば、約５０℃以上）においてナノ粒子間で焼結反応を開始し、結果として低温焼成でも無機素材を強固に接合できるようである。特に、焼成温度が高くなれば、さらに高分子分散剤の保護能力よりも粒子間衝突や焼結性が高くなるため、さらに接合力は向上する。また、高分子分散剤は、基材に対する密着性を向上させる効果があるだけでなく、本発明の接合体においてはこのような高分子分散剤の残存量を小さくできる。従って、本発明では、無機素材の層間において、体積収縮が小さい緻密かつ密着性の高い膜を形成できるため、無機素材に対する密着性に優れるとともに無機素材同士を強固に固定できる。
【００５７】
高分子分散剤（又は高分子型分散剤）（Ｂ２）としては、金属ナノ粒子（Ａ）を被覆又は粒子間に介在可能であれば特に限定されないが、両親媒性の高分子分散剤（又はオリゴマー型分散剤）を好適に使用できる。
【００５８】
高分子分散剤としては、通常、塗料、インキ分野などで着色剤の分散に用いられている高分子分散剤が例示できる。このような分散剤には、スチレン系樹脂（スチレン−（メタ）アクリル酸共重合体、スチレン−無水マレイン酸共重合体など）、アクリル系樹脂（（メタ）アクリル酸メチル−（メタ）アクリル酸共重合体、ポリ（メタ）アクリル酸などの（メタ）アクリル酸系樹脂など）、水溶性ウレタン樹脂、水溶性アクリルウレタン樹脂、水溶性エポキシ樹脂、水溶性ポリエステル系樹脂、セルロース誘導体（ニトロセルロース；エチルセルロースなどのアルキルセルロース、エチルヒドロキシエチルセルロースなどのアルキル−ヒドロキシアルキルセルロース、ヒドロキシエチルセルロース、ヒドロキシプロピルセルロースなどのヒドロキシアルキルセルロース、カルボキシメチルセルロースなどのカルボキシアルキルセルロースなどのセルロースエーテル類など）、ポリビニルアルコール、ポリアルキレングリコール（液状のポリエチレングリコール、ポリプロピレングリコールなど）、天然高分子（ゼラチン、デキストリン、アラビヤゴム、カゼインなどの多糖類など）、ポリエチレンスルホン酸又はその塩、ポリスチレンスルホン酸又はその塩、ナフタレンスルホン酸のホルマリン縮合物、窒素原子含有高分子化合物［例えば、ポリアルキレンイミン（ポリエチレンイミンなど）、ポリビニルピロリドン、ポリアリルアミン、ポリエーテルポリアミン（ポリオキシエチレンポリアミンなど）などのアミノ基を有する高分子化合物］などが含まれる。
【００５９】
代表的な高分子分散剤（両親媒性の高分子分散剤）としては、親水性モノマーで構成された親水性ユニット（又は親水性ブロック）を含む樹脂（又は水溶性樹脂、水分散性樹脂）が含まれる。
【００６０】
前記親水性モノマーとしては、例えば、カルボキシル基又は酸無水物基含有単量体（アクリル酸、メタクリル酸などの（メタ）アクリル系単量体、マレイン酸などの不飽和多価カルボン酸、無水マレイン酸など）、ヒドロキシル基含有単量体（２−ヒドロキシエチル（メタ）アクリレートなどのヒドロキシアルキル（メタ）アクリレート、ビニルフェノールなど）などの付加重合系モノマー；アルキレンオキシド（エチレンオキシドなど）などの縮合系モノマーなどが例示できる。前記縮合系モノマーは、ヒドロキシル基などの活性基（例えば、前記ヒドロキシル基含有単量体など）との反応により、親水性ユニットを形成していてもよい。親水性モノマーは、単独で又は２種以上組み合わせて親水性ユニットを形成していてもよい。
【００６１】
高分子分散剤は、少なくとも親水性ユニット（又は親水性ブロック）を含んでいればよく、親水性モノマーの単独又は共重合体（例えば、ポリアクリル酸又はその塩など）であってもよく、前記例示のスチレン系樹脂やアクリル系樹脂などのように、親水性モノマーと疎水性モノマーとのコポリマーであってもよい。疎水性モノマー（非イオン性モノマー）としては、（メタ）アクリル酸エステル［（メタ）アクリル酸メチル、（メタ）アクリル酸エチル、（メタ）アクリル酸ｎ−ブチル、（メタ）アクリル酸２−エチルヘキシル、（メタ）アクリル酸ラウリル、（メタ）アクリル酸ステアリルなどの（メタ）アクリル酸Ｃ１−２０アルキル、（メタ）アクリル酸シクロヘキシルなどの（メタ）アクリル酸シクロアルキル、（メタ）アクリル酸フェニルなどの（メタ）アクリル酸アリール、（メタ）アクリル酸ベンジル、（メタ）アクリル酸２−フェニルエチルなどの（メタ）アクリル酸アラルキルなど］などの（メタ）アクリル系モノマー；スチレン、α−メチルスチレン、ビニルトルエンなどのスチレン系モノマー；α−Ｃ２−２０オレフィン（エチレン、プロピレン、１−ブテン、イソブチレン、１−ヘキセン、１−オクテン、１−ドデセンなど）などのオレフィン系モノマー；酢酸ビニル、酪酸ビニルなどのカルボン酸ビニルエステル系モノマーなどが挙げられる。疎水性モノマーは、単独で又は２種以上組み合わせて疎水性ユニットを構成していてもよい。
【００６２】
高分子分散剤がコポリマー（例えば、親水性モノマーと疎水性モノマーとのコポリマー）である場合、コポリマーは、ランダムコポリマー、交互共重合体、ブロックコポリマー（例えば、親水性モノマーで構成された親水性ブロックと、疎水性モノマーで構成された疎水性ブロックとで構成されたコポリマー）、星型ポリマー（又は星型ブロックコポリマー）、くし型コポリマー（又はくし型グラフトコポリマー）などであってもよい。前記ブロックコポリマーの構造は、特に限定されず、ジブロック構造、トリブロック構造（ＡＢＡ型、ＢＡＢ型）などであってもよい。また、前記くし型コポリマーにおいて、主鎖は、前記親水性ブロックで構成してもよく、前記疎水性ブロックで構成してもよく、親水性ブロックおよび疎水性ブロックで構成してもよい。
【００６３】
なお、前記のように、親水性ユニットは、アルキレンオキシド（エチレンオキシドなど）で構成された親水性ブロック（ポリエチレンオキシド、ポリエチレンオキシド−ポリプロピレンオキシドなどのポリアルキレンオキシド）などの縮合系ブロックで構成することもできる。親水性ブロック（ポリアルキレンオキシドなど）と疎水性ブロック（ポリオレフィンブロックなど）とは、エステル結合、アミド結合、エーテル結合、ウレタン結合などの連結基を介して結合していてもよい。これらの結合は、例えば、疎水性ブロック（ポリオレフィンなど）を変性剤［不飽和カルボン酸又はその無水物（（無水）マレイン酸など）、ラクタム又はアミノカルボン酸、ヒドロキシルアミン、ジアミンなど］で変性した後、親水性ブロックを導入することにより形成してもよい。また、ヒドロキシル基やカルボキシル基などの親水性基を有するモノマー（前記ヒドロキシアルキル（メタ）アクリレートなど）から得られるポリマーと、前記縮合系の親水性モノマー（エチレンオキシドなど）とを反応（又は結合）させることにより、くし型コポリマー（主鎖が疎水性ブロックで構成されたくし型コポリマー）を形成してもよい。
【００６４】
さらに、共重合成分として、親水性の非イオン性モノマーを使用することにより、親水性と疎水性とのバランスを調整してもよい。このような成分としては、２−（２−メトキシエトキシ）エチル（メタ）アクリレート、ポリエチレングリコールモノメタクリレート（例えば、数平均分子量２００〜１０００程度）などのアルキレンオキシ（特にエチレンオキシ）ユニットを有するモノマー又はオリゴマーなどを例示できる。また、親水性基（カルボキシル基など）を変性（例えば、エステル化）することにより親水性と疎水性とのバランスを調整してもよい。
【００６５】
高分子分散剤（Ｂ２）は、官能基を有していてもよい。このような官能基としては、例えば、酸基（又は酸性基、例えば、カルボキシル基（又は酸無水物基）、スルホ基（スルホン酸基）など）、塩基性基（例えば、アミノ基など）、ヒドロキシル基などが挙げられる。これらの官能基は、単独で又は２種以上組み合わせて高分子分散剤（Ｂ２）が有していてもよい。
【００６６】
これらの官能基のうち、高分子分散剤（Ｂ２）は、酸基又は塩基性基、特に、遊離のカルボキシル基を有しているのが好ましい。
【００６７】
また、高分子分散剤（Ｂ２）が、酸基（カルボキシル基など）を有している場合、少なくとも一部又は全部の酸基（カルボキシル基など）は、塩（アミンとの塩、金属塩など）を形成していてもよいが、特に、本発明では、カルボキシル基（特に、すべてのカルボキシル基）などの酸基が、塩［特に、塩基性化合物との塩（アミンとの塩又はアミン塩など）］を形成していない高分子分散剤［すなわち、遊離の酸基（特にカルボキシル基）を有する高分子分散剤］を好適に使用できる。
【００６８】
酸基（特に遊離のカルボキシル基）を有する高分子分散剤（Ｂ２）において、酸価は、ナノ粒子を製造する際に生成したナノ粒子表面を保護可能である限り下限はないが、より低い方が好ましい。酸価が高すぎると、高分子由来の官能基がナノ粒子表面に多数吸着又は存在しているため、焼結ポイントが少なくなり、ナノ粒子間の焼結を阻害する虞がある。酸価は、例えば、１ｍｇＫＯＨ／ｇ以上（例えば、２〜１５００ｍｇＫＯＨ／ｇ程度）、特に１０ｍｇＫＯＨ／ｇ以上（例えば、１２〜９００ｍｇＫＯＨ／ｇ程度）の範囲から選択できる。特に、酸基（特にカルボキシル基）を有する高分子分散剤（Ｂ２）が、親水性ユニットおよび疎水性ユニットを有する化合物などである場合、酸価は、１ｍｇＫＯＨ／ｇ以上（例えば、２〜１００ｍｇＫＯＨ／ｇ程度）、好ましくは３ｍｇＫＯＨ／ｇ以上（例えば、４〜９０ｍｇＫＯＨ／ｇ程度）、さらに好ましくは５ｍｇＫＯＨ／ｇ以上（例えば、６〜８０ｍｇＫＯＨ／ｇ程度）、特に７ｍｇＫＯＨ／ｇ以上（例えば、８〜７０ｍｇＫＯＨ／ｇ程度）であってもよく、通常３〜５０ｍｇＫＯＨ／ｇ（例えば、５〜３０ｍｇＫＯＨ／ｇ）程度であってもよい。酸基を有する高分子分散剤（Ｂ２）において、アミン価は０（又はほぼ０）であってもよい。
【００６９】
なお、高分子分散剤において、上記のような官能基の位置は、特に限定されず、主鎖であってもよく、側鎖であってもよく、主鎖及び側鎖に位置していてもよい。このような官能基は、例えば、親水性モノマー又は親水性ユニット由来の官能基（例えば、ヒドロキシル基など）であってもよく、官能基を有する共重合性モノマー（例えば、無水マレイン酸など）の共重合によりポリマー中に導入することもできる。
【００７０】
高分子分散剤（Ｂ２）は単独で使用してもよく、２種以上を併用してもよい。
【００７１】
なお、高分子分散剤として、特開平１１−８０６４７号公報に記載の高分子分散剤（高分子量顔料分散剤）を使用してもよい。
【００７２】
また、高分子分散剤は、合成して用いてもよく、市販品を用いてもよい。以下に、市販の高分子分散剤（又は少なくとも両親媒性の分散剤で構成された分散剤）を具体的に例示すると、ソルスパース１３２４０、ソルスパース１３９４０、ソルスパース３２５５０、ソルスパース３１８４５、ソルスパース２４０００、ソルスパース２６０００、ソルスパース２７０００、ソルスパース２８０００、ソルスパース４１０９０などのソルスパースシリーズ［アビシア（株）製］；ディスパービック１６０、ディスパービック１６１、ディスパービック１６２、ディスパービック１６３、ディスパービック１６４、ディスパービック１６６、ディスパービック１７０、ディスパービック１８０、ディスパービック１８２、ディスパービック１８４、ディスパービック１９０、ディスパービック１９１、ディスパービック１９２、ディスパービック１９３、ディスパービック１９４、ディスパービック２００１、ディスパービック２０１０、ディスパービック２０５０、ディスパービック２０９０、ディスパービック２０９１などのディスパービックシリーズ［ビックケミー（株）製］；ＥＦＫＡ−４６、ＥＦＫＡ−４７、ＥＦＫＡ−４８、ＥＦＫＡ−４９、ＥＦＫＡ−１５０１、ＥＦＫＡ−１５０２、ＥＦＫＡ−４５４０、ＥＦＫＡ−４５５０、ポリマー１００、ポリマー１２０、ポリマー１５０、ポリマー４００、ポリマー４０１、ポリマー４０２、ポリマー４０３、ポリマー４５０、ポリマー４５１、ポリマー４５２、ポリマー４５３［ＥＦＫＡケミカル（株）製］；アジスパーＰＢ７１１、アジスパーＰＡｌ１１、アジスパーＰＢ８１１、アジスパーＰＢ８２１、アジスパーＰＷ９１１などのアジスパーシリーズ［味の素（株）製］；フローレンＤＯＰＡ−１５８、フローレンＤＯＰＡ−２２、フローレンＤＯＰＡ−１７、フローレンＴＧ−７００、フローレンＴＧ−７２０Ｗ、フローレン−７３０Ｗ、フローレン−７４０Ｗ、フローレン−７４５Ｗなどのフローレンシリーズ［共栄社化学（株）製］；ジョンクリル６７８、ジョンクリル６７９、ジョンクリル６２などのジョンクリルシリーズ［ジョンソンポリマー（株）製］などが挙げられる。
【００７３】
これらのうち、代表的な酸基を有する高分子分散剤には、ポリ（メタ）アクリル酸類［又はポリアクリル酸系樹脂、例えば、ポリ（メタ）アクリル酸、（メタ）アクリル酸と共重合性単量体（例えば、（メタ）アクリレート、無水マレイン酸など）との共重合体などの（メタ）アクリル酸を主成分とするポリマー、これらの塩（例えば、ポリアクリル酸ナトリウムなどのアルカリ金属塩など）など］、ディスパービック１９０、ディスパービック１９４などが挙げられる。また、代表的な塩基性基（アミノ基）を有する高分子分散剤には、ポリアルキレンイミン（ポリエチレンイミンなど）、ポリビニルピロリドン、ポリアリルアミン、ポリエーテルポリアミン（ポリオキシエチレンポリアミンなど）などが挙げられる。
【００７４】
高分子分散剤（Ｂ２）の数平均分子量は、１０００〜１００００００（例えば、１２００〜８０００００）の範囲から選択でき、例えば、１５００〜５０００００（例えば、１５００〜１０００００）、好ましくは２０００〜８００００（例えば、２０００〜６００００）、さらに好ましくは３０００〜５００００（例えば、５０００〜３００００）、特に７０００〜２００００程度であってもよい。
【００７５】
金属コロイド粒子において、分散剤（Ｂ）［特に凝集助剤（Ｂ１）及び高分子分散剤（Ｂ２）の総量］の割合は、固形分換算で、金属ナノ粒子（Ａ）１００質量部に対して、０．０１〜１５質量部程度の範囲から選択でき、操作性及び無機素材の接合性のバランスに優れる点から、例えば、０．０５〜１２質量部、好ましくは０．１〜１２質量部、さらに好ましくは０．３〜１０質量部（特に０．５〜１０質量部）程度であってもよい。特に、金属コロイド粒子において、分散剤（Ｂ）の割合は、金属ナノ粒子（Ａ）１００質量部に対して、５質量部以下（例えば、０．１〜５質量部）、好ましくは０．３〜４．５質量部、さらに好ましくは０．５〜４質量部（特に１〜３質量部）程度であってもよい。本発明では、前記特定の組み合わせにより分散剤（Ｂ）を構成するので、上記のような比較的少ない量の分散剤（Ｂ）であっても、金属ナノ粒子を安定に分散できる。さらに、分散剤（Ｂ）の割合が比較的少ないため、加熱によって適度に金属ナノ粒子が成長し、粒度分布の広い金属コロイド粒子が得られる。
【００７６】
なお、金属コロイド粒子において、凝集助剤（Ｂ１）の割合は、固形分換算で、例えば、金属ナノ粒子（Ａ）１００質量部に対して、０．０１〜１５質量部程度の範囲から選択でき、例えば、０．０５〜１２質量部、好ましくは０．１〜１０質量部、さらに好ましくは０．３〜１０質量部（特に０．５〜８質量部）程度であってもよい。特に、本発明の金属コロイド粒子において、凝集助剤（Ｂ１）の割合は、金属ナノ粒子（Ａ）１００質量部に対して、５質量部以下（例えば、０．１〜５質量部）、好ましくは０．２〜４．５質量部、さらに好ましくは０．３〜４質量部（特に０．５〜３質量部）程度であってもよい。
【００７７】
また、金属コロイド粒子において、高分子分散剤（Ｂ２）の割合は、固形分換算で、例えば、金属ナノ粒子（Ａ）１００質量部に対して、０．００５〜１２質量部程度の範囲から選択でき、例えば、０．０１〜１０質量部、好ましくは０．０５〜８質量部、さらに好ましくは０．１〜７質量部（特に０．１〜５質量部）程度であってもよい。特に、本発明の金属コロイド粒子において、高分子分散剤（Ｂ２）の割合は、金属ナノ粒子（Ａ）１００質量部に対して、２質量部以下（例えば、０．０１〜２質量部）、好ましくは０．０３〜１．５質量部、さらに好ましくは０．０５〜１質量部（特に０．１〜０．５質量部）程度であってもよい。
【００７８】
さらに、金属コロイド粒子において、凝集助剤（Ｂ１）と高分子分散剤（Ｂ２）との割合（溶媒などを含む場合は固形分の割合）は、前者／後者（質量比）＝９９／１〜１／９９程度の範囲から選択でき、例えば、９８／２〜１０／９０、好ましくは９７／３〜３０／７０、さらに好ましくは９５／５〜５０／５０程度であってもよい。特に、金属コロイド粒子において、凝集助剤（Ｂ１）と高分子分散剤（Ｂ２）との割合は、前者／後者（質量比）＝９９／１〜６０／４０、好ましくは９８／２〜７０／３０、さらに好ましくは９７／３〜８０／２０（特に９５／５〜８５／１５）程度であってもよい。特に、高分子分散剤（Ｂ２）に対して、過剰量の凝集助剤（Ｂ２）を配合することにより、加熱による金属ナノ粒子の成長（粒径の増大）を促進できる。
【００７９】
なお、金属コロイド粒子は、分散剤（Ｂ）として少なくとも前記分散剤（Ｂ）を含んでいればよく、他の有機成分を含んでいてもよい。他の有機成分は、無機化合物であってもよいが、通常、有機化合物である。
【００８０】
他の有機成分としては、例えば、酸素原子含有有機化合物｛例えば、ケトン類［例えば、アルカノン類、シクロアルカノン類、ジケトン類（アセチルアセトンなどのβ−ジケトン類）など］、エステル類（例えば、脂肪酸エステル類、グリコールエーテルエステル類など）、アルデヒド類（カプリルアルデヒド、ラウリルアルデヒド、パルミトアルデヒド、ステアリルアルデヒドなどのＣ６−２０脂肪族アルデヒド）など｝、硫黄原子含有有機化合物［例えば、スルホキシド類、スルホン酸類（例えば、アルカンスルホン酸、ベンゼンスルホン酸、トルエンスルホン酸などのアレーンスルホン酸など）など］などが挙げられる。これらの他の有機成分は、単独で又は２種以上組み合わせてもよい。
【００８１】
他の有機成分の割合は、前記分散剤（Ｂ）１００質量部に対して、例えば、０．１〜１００質量部、好ましくは０．５〜５０質量部、さらに好ましくは１〜３０質量部程度であってもよい。
【００８２】
なお、金属コロイド粒子中の凝集助剤（Ｂ１）、高分子分散剤（Ｂ２）などの割合は、慣用の方法、例えば、熱分析（例えば、熱質量／示差熱同時分析など）により、測定することができる。
【００８３】
（金属コロイド粒子の粒度分布）
本発明において、金属コロイド粒子は、ナノ粒子（Ａ）がナノサイズの領域において広い粒度分布を有することにより、焼成すると隙間なく充填されるためか、無機素材を強固に接合できる。
【００８４】
金属ナノ粒子の数平均粒子径（一次粒子径）は５０ｎｍ以下（例えば、１〜５０ｎｍ）、好ましくは１．５〜４５ｎｍ、さらに好ましくは２〜４０ｎｍ（特に５〜４０ｎｍ）程度であってもよく、通常１０〜４０ｎｍ（例えば、２０〜３５ｎｍ）程度であってもよい。
【００８５】
金属コロイド粒子に含まれる金属ナノ粒子（Ａ）は、全体として、このような数十ナノサイズの微小な数平均粒子径を有するとともに、１００〜２００ｎｍの比較的大粒径の粒子も一定量存在するという特徴を有している。すなわち、金属コロイド粒子に含まれる金属ナノ粒子（Ａ）は、２００ｎｍ以下の範囲で広い粒度分布を示す。具体的には、粒子径が１００ｎｍ未満の金属ナノ粒子（小粒子群）（Ａ１）と、粒子径が１００〜２００ｎｍの金属ナノ粒子（大粒子群）（Ａ２）との体積比率が、小粒子群／大粒子群＝９０／１０〜３０／７０、好ましくは７０／３０〜３０／７０、さらに好ましくは６０／４０〜３５／６５（特に５０／５０〜４０／６０）程度である。１００ｎｍ以上の粒子が一定の体積を占めることにより、大粒子の隙間に小粒子が充填され、焼成による焼結膜の特性が向上すると推定される。
【００８６】
さらに、本発明における粒度分布は、偏りの少ない正規分布に近い分布であってもよいが、偏りのある分布であってもよく、例えば、小粒子群及び大粒子群のそれぞれの分布において１以上のピーク（極大部）を有していてもよい。特に、小粒子群では、比較的均一な分布であり、かつ大粒子群では、１５０〜２００ｎｍの比較的大きい粒子の割合が大きい分布であるのが好ましい。例えば、１５０〜２００ｎｍの粒子の体積比率が、全粒子に対して、例えば、１０〜６０体積％、好ましくは２０〜５５体積％、さらに好ましくは３０〜５０体積％であってもよい。このような１５０ｎｍを超える粒子に対して、１００ｎｍ未満の粒子が満遍なく存在することにより充填効率が向上すると推定される。さらに、小粒子群の数平均粒子径が、例えば、５〜５０ｎｍ、好ましくは１０〜４０ｎｍ、さらに好ましくは１５〜３５ｎｍ程度であり、大粒子群の数平均粒子径が、例えば、１２０〜１９５ｎｍ、好ましくは１５０〜１９０ｎｍ、さらに好ましくは１６０〜１９０ｎｍ程度であってもよい。
【００８７】
従って、このような分布を有する金属コロイド粒子は、低温及び低圧で焼成しても、緻密な膜を形成でき、無機素材を強固に接合できる。さらに、大きい粒子が増加して粒子の表面積が減少し、表面に吸着する分散剤（Ｂ）の量が減少するため、焼成した際に膜から保護コロイド由来の有機物を除去し易くなり、厚膜とした場合にも無機素材を強固に接合できる。
【００８８】
（金属コロイド粒子の凝集特性）
金属コロイド粒子は、金属粒子がナノサイズで前記粒径分布を保持しつつ、各コロイド粒子が適度に凝集している。このような凝集体は、分散剤（Ｂ）を介在して金属ナノ粒子が凝集しており、例えば、金属ナノ粒子（Ａ）の表面が分散剤（Ｂ）で被覆された金属コロイド粒子同士が、分散剤（Ｂ）のうち、主として、凝集助剤（Ｂ１）が吸着（又は被覆）した部分がウイークポイントになって引き付け合い、凝集していると推定される。すなわち、本発明の金属コロイド粒子は、従来の保護コロイドで被覆されたコロイド粒子よりも各金属コロイド粒子が分散剤（Ｂ）を介して強固に凝集しており、分散剤（Ｂ）（特に高分子分散剤（Ｂ２））の良溶媒及び貧溶媒のいずれの溶媒に対しても、機械的撹拌で均一に微分散せず（特に分散剤が親水性の場合、水などの良溶媒に機械的撹拌で分散せず）、超音波処理した場合に、高分子分散剤（Ｂ２）の良溶媒（例えば、水）に対して、わずかに分散して茶色〜黄色のプラズモン吸収を示す特性を有している。超音波処理は、例えば、２０〜１００ｋＨｚ（特に３０〜５０ｋＨｚ）において、１０秒〜５時間（好ましくは、１分〜３時間、さらに好ましくは１０分〜２時間度）程度照射する処理であってもよい。本発明では、金属コロイド粒子のこのような特性により、還元反応に使用する分散剤（Ｂ）に対する良溶媒中で、凝集体が沈殿し、容易に金属コロイド粒子を回収できる。
【００８９】
また、本発明における金属コロイド粒子（又はその凝集体）は、溶媒に均一な微分散はしないものの、適度な柔軟性及び離解性又は解こう性を有しているため、分散剤（Ｂ）に対して親和性を有する有機溶媒を用いて高濃度で混合すれば、無機素材を強固に接合できる均一なペーストを調製できる。さらに、金属コロイド粒子は、分散剤（Ｂ）が少量で、かつ焼結サイトを形成可能な凝集助剤（Ｂ１）を含むとともに、適度にコロイド粒子が凝集しているため、低温焼成であっても、金属ナノ粒子が焼結して緻密で無機素材を強固に接合できる焼結膜を形成できる。
【００９０】
（溶媒）
溶媒としては、分散剤（Ｂ）の種類に応じて、前記反応溶媒として記載した極性溶媒及び疎水性溶媒を使用できるが、均質なペーストを調製するためには、分散剤（Ｂ）と親和性を有する溶媒を使用するのが好ましく、例えば、分散剤（Ｂ）が親水性である場合には、極性溶媒を使用するのが好ましい。好ましい極性溶媒としては、例えば、エチルアルコール、プロピルアルコール、イソプロピルアルコール、ブチルアルコールなどのアルコール類、メチルセロソルブ、エチルセロソルブ、ブチルセロソルブなどのセロソルブ類、メチルカルビトール、エチルカルビトール、ブチルカルビトールなどのカルビトール類、エチレングリコール、ジエチレングリコール、プロピレングリコール、ジプロピレングリコール、１，４−ブタンジオール、グリセリンなどの脂肪族多価アルコールなどが挙げられる。これらの極性溶媒は、単独で又は二種以上組み合わせて使用できる。
【００９１】
溶媒は、少なくとも極性溶媒（特に非芳香族系極性溶媒又は脂肪族系極性溶媒）で構成するのが好ましい。このような溶媒の極性パラメータ（Ｓｎｙｄｅｒによる極性パラメータ）は、例えば、２．８〜１１、好ましくは３〜１０．５、さらに好ましくは３．１〜１０．２程度であってもよい。
【００９２】
これらの極性溶媒のうち、分散剤（Ｂ）に対する親和性に優れる点から、エチレングリコール、ジエチレングリコール、グリセリンなどの脂肪族多価アルコール（特にエチレングリコールなどのアルキレングリコール）が好ましい。
【００９３】
前述したように、本発明の金属コロイド粒子は、凝集体として得られ、適度に凝集しているため、適度な柔軟性及び解こう性を有しており、特定の有機溶媒を配合すると、凝集体が再分散して均質で粘性なペーストを容易に調製できる。なお、ペースト中における凝集体の再分散とは、凝集体に含まれる金属ナノ粒子が分散してプラズモン共鳴による吸収を示すようなナノメータサイズの微分散ではなく、金属ナノ粒子が分散剤（Ｂ）を介してプラズモン吸収を示さない大きさで会合（又は凝集）した状態で分散していると推定できる。２５℃におけるペーストの粘度［シェアレート：５０（１／ｓ）］は、例えば、０．１〜１００ｍＰａ・ｓ、好ましくは１〜８０ｍＰａ・ｓ、さらに好ましくは５〜５０ｍＰａ・ｓ程度であってもよい。
【００９４】
ぺースト中の金属ナノ粒子（Ａ）の濃度は、例えば、３０〜９５質量％、好ましくは５０〜９３質量％、さらに好ましくは７０〜９０質量％（特に８０〜９０質量％）程度であってもよい。
【００９５】
本発明の無機素材用接合剤には、用途に応じて、慣用の添加剤、例えば、バインダー樹脂（ポリビニルアルコール、ポリエチレングリコールなどの親水性高分子など）、着色剤（染顔料など）、色相改良剤、染料定着剤、光沢付与剤、金属腐食防止剤、安定剤（酸化防止剤、紫外線吸収剤など）、界面活性剤又は分散剤（アニオン性界面活性剤、カチオン性界面活性剤、ノニオン性界面活性剤、両性界面活性剤など）、分散安定化剤、増粘剤又は粘度調整剤、保湿剤、チクソトロピー性賦与剤、レベリング剤、消泡剤、殺菌剤、充填剤などが含まれていてもよい。これらの添加剤は、単独で又は二種以上組み合わせて使用できる。
【００９６】
特に、本発明では、ペーストに粒子径２００ｎｍ以上の金属粉末（金属フィラー）を配合してもよい。金属コロイド粒子（又はその凝集体）を含むペーストでは、ペースト中の粒子濃度が上昇するにつれて、粒子の表面間距離が縮まってくるため、粒子間又は粒子表面を被覆している分散剤（Ｂ）の絡み合いなどによる相互作用が生じ、粘度が急激に上昇して硬くなり、取り扱いが低下する。本発明では、大粒径の金属粉末を添加することにより、高濃度のペーストに流動性を付与することができるが、流動性が発現する機構としては以下の理由が考えられる。
【００９７】
（１）粒子の表面間距離Ｄは、式：Ｄ＝［｛√２×π／（６ｆ）｝１／３−１］×ｄ（式中、ｆ：ペースト中に占める微粒子の体積分率、ｄ：粒径）で表され、同一の金属濃度のペーストで比較した場合、粒径が大きい成分を含むペーストの方が粒子表面間距離は大きくなるため、粘度が低下すると推定される。
【００９８】
（２）粒子の沈降速度Ｄは、式：Ｄ＝ｋＴ／（３πηｄ）（式中、ｋ：ボルツマン定数、Ｔ：絶対温度、η：溶媒粘度、ｄ：粒径）で表され、大粒子は沈降速度が大きくなるため、ペースト中に大粒子が存在すると凝集構造が破壊され易く、流動性が発現すると推定される。
【００９９】
金属コロイド粒子を含む接合剤において、接合強度を向上するためには、金属濃度は可能な限り高い方が好ましいため、大粒径の金属粉末の添加は、接合強度の点からも好ましい。その理由としては、接合部中の有機物量が少ない方が熱伝導率が高く、放熱性を要求される部材に対して有効であるためである。また、有機物の気化によるボイドの発生を極力少なくすることも熱伝導率、放熱性の点から重要であり、使用する接合剤中の金属濃度は高濃度である方が好ましい。
【０１００】
このような金属粉末の体積基準の平均粒子径は、２００ｎｍ以上であればよいが、例えば、２００〜３０００ｎｍ、好ましくは３００〜２０００ｎｍ、さらに好ましくは４００〜１５００ｎｍ（特に４００〜１０００ｎｍ）程度である。金属粉末の粒子径が大きすぎると、例えば、スクリーン印刷などにおいて目詰まりが発生し易くなり、また薄膜の焼成膜を作製すると、凹凸面が発生し、均一な面を形成し難い。一方、粒子径が小さすぎると、金属粉末の分散性が低下するため、分散剤（Ｂ）の使用量が増加し、焼成におけるガスの発生量も増加する。
【０１０１】
金属粉末の比表面積は、０．１〜５ｍ２／ｇ、好ましくは０．３〜２．６ｍ２／ｇ程度の範囲から選択できる。低温焼成では、比表面積は、比較的小さい方が焼成膜の接合力を向上できるため、例えば、０．１〜２．６ｍ２／ｇ（例えば、０．１〜１．５ｍ２／ｇ）、好ましくは０．３〜１．２ｍ２／ｇ（例えば、０．３〜０．６ｍ２／ｇ）程度であってもよい。一方、高温焼成では、比表面積は、比較的大きい方が粒子間焼結が起こり易く、焼成膜の接合力を向上できるため、例えば、０．３〜５ｍ２／ｇ、好ましくは０．４〜２．６ｍ２／ｇ程度であってもよい。
【０１０２】
金属粉末を構成する金属は、金属ナノ粒子（Ａ）の項で例示された金属単体、合金、金属化合物などが挙げられる。これらの金属のうち、少なくとも銀や金などの貴金属（特に周期表第１Ｂ族金属）を含む金属（金属単体及び金属合金）、特に貴金属単体（例えば、金単体など）であるのが好ましい。金属ナノ粒子を構成する金属と金属粉末を構成する金属とは異なっていてもよいが、焼結し易い点から、同一又は同族の金属（特に同一の金属）であるのが好ましい。
【０１０３】
金属粉末の割合は、金属ナノ粒子（Ａ）１００質量部に対して、例えば、０〜３００質量部、好ましくは１０〜２００質量部、さらに好ましくは３０〜１５０質量部（特に５０〜１００質量部）程度である。金属粉末の割合が多すぎると、焼結状態が悪化し、接合力も低下し易い。
【０１０４】
なお、ペーストの（又はペーストを構成する）固形分全体に対する金属ナノ粒子（Ａ）の濃度（又は金属コロイド粒子における金属ナノ粒子（Ａ）の濃度）は、例えば、５０質量％以上（例えば、５５〜９９．５質量％）、好ましくは６０質量％以上（例えば、７０〜９９質量％）、さらに好ましくは８０質量％以上（例えば、８５〜９８．５質量％）、通常９０〜９９質量％程度であってもよい。
【０１０５】
［無機素材用接合剤の製造方法］
本発明の無機素材用接合剤において、金属コロイド粒子は、例えば、前記分散剤（Ｂ）又はその前駆体の存在下（特に、前記凝集助剤（Ｂ１）及び／又はその前駆体と、高分子分散剤（Ｂ２）との存在下）、溶媒中で、前記金属ナノ粒子（Ａ）に対応する金属化合物を還元して金属コロイド粒子を生成するとともに、金属コロイド粒子の凝集体を沈殿物として生成させる工程、この工程で生成した凝集体を分離して回収する工程を含む製造方法により調製できる。
【０１０６】
前記反応工程において、前記金属ナノ粒子（Ａ）に対応する金属化合物は、例えば、金属酸化物、金属水酸化物、金属硫化物、金属ハロゲン化物、金属酸塩［金属無機酸塩（硫酸塩、硝酸塩、過塩素酸塩などのオキソ酸塩など）、金属有機酸塩（酢酸塩など）など］などであってもよい。なお、金属塩の形態は、単塩、複塩又は錯塩のいずれであってもよく、多量体（例えば、２量体）などであってもよい。これらの金属化合物は単独で又は二種以上組み合わせて使用できる。これらの金属化合物のうち、金属ハロゲン化物、金属酸塩［金属無機酸塩（硫酸塩、硝酸塩、過塩素酸塩などのオキソ酸塩など）、金属有機酸塩（酢酸塩など）など］などを使用する場合が多い。なお、これらの金属化合物は、溶媒に溶解又は分散させて（例えば、水溶液などの水系溶媒の溶液の形態で）用いてもよい。
【０１０７】
金属化合物の還元剤としては、慣用の成分、例えば、水素化ホウ素ナトリウム類（水素化ホウ素ナトリウム、シアノ水素化ホウ素ナトリウム、水素化トリエチルホウ素ナトリウムなど）、水素化アルミニウムリチウム、次亜リン酸又はその塩（ナトリウム塩など）、ボラン類（ジボラン、ジメチルアミノボランなど）、ヒドラジン、ホルマリン、アミン類、アルコール類（ヒドロキシ化合物）、ヒドロキシカルボン酸、フェノール性水酸基を有するカルボン酸（例えば、タンニン酸）などが例示できる。これらの還元剤は、単独で又は二種以上組み合わせて使用できる。
【０１０８】
なお、還元剤は、金属コロイド粒子を構成する分散剤（Ｂ）又はその前駆体（特に、凝集助剤（Ｂ１）又はその前駆体）であってもよい。すなわち、還元剤として、凝集助剤（Ｂ１）又は前駆体を使用し、その残余（余剰）物が金属コロイド粒子の分散剤（Ｂ）を構成してもよく、またその分解物又は誘導体が金属コロイド粒子の分散剤（Ｂ）を構成してもよい。このような還元剤としては、例えば、前記凝集助剤（Ｂ１）で記載のアミン類、ヒドロキシ化合物、ヒドロキシカルボン酸、フェノール性水酸基を有するカルボン酸などが挙げられる。
【０１０９】
これらの還元剤のうち、安全で還元力（還元速度）が強い点から、３級アミン（例えば、ジメチルエチルアミン、ジエチルメチルアミン、トリエチルアミンなどのトリＣ１−３アルキルアミンなど）が好ましく、さらに余剰成分又は分解成分が凝集助剤（Ｂ１）として機能することが可能であり、かつ溶媒（特に水系溶媒）に対する分散性が高い点から、アルキルアルカノール第３級アミン類（例えば、Ｎ−メチルジエタノールアミンなどのＮ−Ｃ１−３アルキルジＣ２−６アルカノールアミン、Ｎ，Ｎ−ジメチルエタノールアミンなどのジＣ１−３アルキルモノＣ２−６アルカノールアミン）が特に好ましい。例えば、還元剤がジメチルアミノエタノールである場合、還元反応の終了後、余剰のジメチルエタノールアミンの他、分解生成物として、酢酸などのカルボン酸、エタノールなどのアルコール、アルキルアミン、ジメチルホルムアミドなどのアルキルホルムアミド、アルキルアミノカルボン酸、硝酸塩、硝酸イオン又水酸化物イオンとの錯体などが生成し、金属ナノ粒子に吸着又は結合すると推定できる。なお、本発明では還元剤として、凝集助剤（Ｂ１）又は前駆体を使用した場合であっても、さらにカルボン酸などの凝集助剤（Ｂ１）を配合してもよい。特に、還元剤としてアミン類を使用した場合、酢酸などの低分子カルボン酸は、金属ナノ粒子に対する吸着性が強く、還元剤由来の凝集助剤よりも優先的に金属ナノ粒子に吸着し、優れた凝集性や接合力を発現できると推定される。
【０１１０】
還元剤の使用量は、金属原子換算で前記金属化合物１当量（又は１モル）に対して、１〜３０モル（例えば、１．２〜２０モル）、好ましくは１．５〜１５モル、さらに好ましくは２〜１０モル程度であってもよく、通常１〜５モル程度であってもよい。
【０１１１】
還元反応は、慣用の方法、例えば、温度１０〜７５℃（例えば、１５〜５０℃、好ましくは２０〜３５℃）程度で行うことができる。反応系の雰囲気は、空気、不活性ガス（窒素ガスなど）であってもよく、還元性ガス（水素ガスなど）を含む雰囲気であってもよい。また、反応は、通常、攪拌下（又は攪拌しながら）で行ってもよい。
【０１１２】
高分子分散剤（Ｂ２）の配合量は、凝集体として得られる金属コロイド粒子における割合が前記範囲にあれば特に限定されないが、金属化合物の金属１００質量部に対して、例えば、０．１〜１０質量部（例えば、０．１〜７．５質量部）、好ましくは０．５〜８質量部、さらに好ましくは１〜７．５質量部（特に３〜７質量部）程度であってもよい。
【０１１３】
凝集助剤（Ｂ１）の配合量も、凝集体として得られる金属コロイド粒子における割合が前記範囲にあれば特に限定されず、還元剤として凝集助剤を使用するか否かに応じて選択できるが、例えば、金属化合物の金属１００質量部に対して、例えば、１００質量部以下、好ましくは０．１〜５０質量部、さらに好ましくは１〜４０質量部（特に１０〜３０質量部）程度であってもよい。
【０１１４】
反応溶媒としては、還元剤や分散剤（Ｂ）の種類に応じて、極性溶媒（水溶性溶媒）であっても、疎水性溶媒（非水溶性溶媒）であってもよい。
【０１１５】
極性溶媒には、例えば、水、アルコール類（メタノール、エタノール、プロパノール、イソプロパノール、ブタノールなどのＣ１−４アルカノールなど）、脂肪族多価アルコール類（エチレングリコール、プロピレングリコール、ジエチレングリコール、トリエチレングリコール、ポリエチレングリコール、グリセリンなど）、アミド類（ホルムアミド、アセトアミドなどのアシルアミド類、Ｎ−メチルホルムアミド、Ｎ−メチルアセトアミド，Ｎ，Ｎ−ジメチルホルムアミド、Ｎ，Ｎ−ジメチルアセトアミドなどのＮ−モノ又はＮ，Ｎ−ジＣ１−４アシルアミド類など）、ケトン類（アセトンなど）、エーテル類（ジオキサン、テトラヒドロフランなど）、有機カルボン酸類（酢酸など）、セロソルブ類（メチルセロソルブ、エチルセロソルブ、ブチルセロソルブなどのＣ１−４アルキルセロソルブ類など）、セロソルブアセテート類（エチルセロソルブアセテートなどのＣ１−４アルキルセロソルブアセテート類など）、カルビトール類（メチルカルビトール、エチルカルビトール、プロピルカルビトール、ブチルカルビトールなどのＣ１−４アルキルカルビトール類など）、ハロゲン化炭化水素系溶媒（塩化メチレン、クロロホルム、ジクロロエタンなどのハロゲン化炭化水素類など）などが例示できる。これらの極性溶媒は、単独で又は二種以上組み合わせて使用できる。なお、これらの極性溶媒の極性パラメータは、通常、後述の極性パラメータの範囲内にある場合が多い。
【０１１６】
また、これらの極性溶媒のうち、環境保全性及び簡便性などの観点から、少なくとも水を含む極性溶媒であってもよい。さらに、用途に応じて、溶媒の蒸発を抑制するなどの点から、水にアルコール類（例えば、エタノールなどのＣ１−４アルカノール、エチレングリコールやグリセリンなどの脂肪族多価アルコールなど）を組み合わせてもよい。アルコール類の割合は、水１００質量部に対して、例えば、０．１〜５０質量部、好ましくは１〜３０質量部、さらに好ましくは３〜２０質量部（特に５〜１５質量部）程度であってもよい。
【０１１７】
疎水性溶媒としては、例えば、炭化水素類（ヘキサン、トリメチルペンタン、オクタン、デカン、ドデカン、テトラデカンなどの脂肪族炭化水素類；シクロヘキサンなどの脂環式炭化水素類；トルエン、キシレンなどの芳香族炭化水素類；ジクロロメタン、トリクロロエタンなどのハロゲン化炭化水素類など）、エステル類（酢酸メチル、酢酸エチルなど）、ケトン類（メチルエチルケトン、メチルイソブチルケトンなど）、エーテル類（ジエチルエーテル、ジプロピルエーテルなど）などが例示できる。これらの疎水性溶媒は、単独で又は二種以上組み合わせて使用できる。
【０１１８】
溶媒は、少なくとも極性溶媒（特に非芳香族系極性溶媒又は脂肪族系極性溶媒）で構成するのが好ましい。このような溶媒の極性パラメータ（Ｓｎｙｄｅｒによる極性パラメータ）は、例えば、２．８〜１１、好ましくは３〜１０．５、さらに好ましくは３．１〜１０．２程度であってもよい。また、本発明では、溶媒としては、環境の負荷が少なく、取り扱いが簡便である点から、水溶性溶媒、特に、少なくとも水及び／又はアルコール類などの水溶性溶媒（特に水）が好ましい。
【０１１９】
反応液中の金属化合物の濃度は、金属の質量換算で、例えば、０．１質量％以上（例えば、１〜５０質量％）、好ましくは３質量％以上（例えば、５〜４５質量％）、さらに好ましくは１０質量％以上（例えば、１２〜４０質量％）、通常５〜３５質量％程度の高濃度であってもよい。本発明では、このような高濃度で反応させても、効率よく金属ナノ粒子を得ることができる。
【０１２０】
なお、反応溶媒の種類などに応じて反応系のｐＨを調製してもよい。ｐＨ調整は、慣用の方法、例えば、酸（塩酸、硫酸、硝酸、リン酸などの無機酸、酢酸などの有機酸）、アルカリ［水酸化ナトリウム、アンモニアなどの無機塩基、アミン類（例えば、アルキルアミン、アルカノールアミンなどの第三級アミン類などの有機塩基）などの塩基類］を用いて行うことができる。
【０１２１】
本発明では、還元反応とともに、生成した金属コロイド粒子が凝集して、沈殿し始めるため、回収工程において、反応液から上澄み液を除去した後、洗浄溶媒で洗浄するだけで金属コロイド粒子を凝集体として回収できる。
【０１２２】
上澄み液の除去方法としては、慣用の方法が利用でき、濃縮、遠心分離、ろ過などの方法も使用できるが、簡便性の点から、デカンテーションによる除去方法が好ましい。特に、本発明では、凝集体が分散剤（Ｂ）の良溶媒にも溶解又は均一に微分散せず、分散剤（Ｂ）や還元剤に対して良溶媒を洗浄溶媒として利用できるため、デカンテーションにより上澄み液を除去した沈殿物に対して、限外ろ過などの精密で煩雑な処理を利用せずに、不純物（還元剤又はその分解物、残存した分散剤、イオン、塩など）を容易に除去できる。
【０１２３】
洗浄溶媒を用いた洗浄方法において、洗浄溶媒としては、反応溶媒として使用可能な前記極性又は疎水性溶媒が利用でき、還元反応に利用した溶媒（例えば、水）を使用してもよい。洗浄溶媒の使用量は、凝集体に対して、重量比で、例えば、２〜１００倍、好ましくは３〜５０倍、さらに好ましくは５〜３０倍程度であってもよい。このような洗浄処理は、複数回（例えば、２〜５回）繰り返してもよい。複数回繰り返す場合は、異なる種類の洗浄溶媒（例えば、より揮発性の高い溶媒など）を使用してもよい。さらに、洗浄溶媒で洗浄後は、自然乾燥してもよく、メンブレンフィルタなどの簡易なろ過を行って精製してもよい。
【０１２４】
このような製造方法において、本発明における粒度分布を調整する方法としては、反応液又はペーストを加熱することにより粒子サイズを成長させる手法が用いられる。加熱温度は、室温以上であり、溶媒の沸点未満の範囲から選択される。室温以下では、粒子の成長に長時間を有するために生産性が低く、一方、溶媒の沸点を超えると、容器に還流管を付けても、ペーストが乾燥固化し、数μｍ以上の粒子に成長し易い。従って、加熱温度は、溶媒の種類に応じて選択できるが、１００℃以上の沸点を有する溶媒の場合、例えば、５０〜１００℃、好ましくは５５〜９０℃、さらに好ましくは５５〜８０℃程度である。
【０１２５】
加熱方法は、還元反応における反応液の加熱と連続して加熱する方法であってもよく、溶媒置換した後のペーストを加熱する方法であってもよい。加熱時間は、加熱温度によって適宜選択でき、例えば、１〜１００時間程度の範囲から選択できるが、粒子の成長を適切な範囲にするためには、温和な条件が好ましく、例えば、エチレングリコールなどの脂肪族多価アルコールと混合したペーストに対して、５０〜７０℃程度の温度で、１０時間以上（例えば、２０〜８０時間程度）かけて加熱してもよい。
【０１２６】
本発明では、粒子のサイズを成長させるために、加熱温度や時間の調整に加えて、さらに分散剤（Ｂ）や添加剤により調整してもよい。例えば、分散剤（Ｂ）の割合（特に高分子分散剤（Ｂ２）の割合）を減少させる方法や、凝集助剤として低分子の脂肪族カルボン酸（特に、酢酸などのＣ１−３脂肪族カルボン酸）を利用する方法により、金属コロイド粒子の接合部位を増加させることにより、粒子の成長を促進してもよい。さらに、金属コロイド粒子を構成する金属と同一の金属で構成された脂肪酸金属塩や金属酸化物を少量配合することにより、粒子の成長を促進してもよい。
【０１２７】
［無機素材の接合体及び接合方法］
前記製造方法で得られた接合剤は、無機素材を接合するために用いられる。本発明の無機素材の接合体は、無機素材（Ｃ１）と無機素材（Ｃ２）との間に、本発明の無機素材用接合剤を介在させて、前記無機素材用接合剤を焼結することにより得ることができる。
【０１２８】
無機素材としては、ガラスや炭素材などの無機素材であってもよいが、ペーストが金属ナノ粒子で構成されているため、接合力を向上する点からは、少なくとも接合面が金属を含む（又は接合面に金属が存在する）素材（特に接合面の略全面が金属で構成されている素材）が好ましい。金属としては、金属ナノ粒子（Ａ）の項で例示された金属単体、合金、金属化合物などが挙げられる。これらのうち、金属単体又は合金が好ましく、金属ナノ粒子を構成する金属単体と、無機素材の接合面を構成する金属単体（又は合金を構成する各金属単体）との組み合わせとしては、単純立方格子構造（ｓｃ）、面心立方格子構造（ｆｃｃ）、体心立方格子構造（ｂｃｃ）、六方最密（充填）構造（ｈｃｐ）などの結晶構造に応じて選択してもよく、異なる結晶構造の組み合わせであってもよいが、同一の結晶構造の組み合わせ（例えば、ｆｃｃ同士、ｂｃｃ同士など）が好ましい。また、格子定数も近似しているのが好ましく、前記接合面を構成する金属単体の格子定数が、金属ナノ粒子を構成する金属単体の格子定数に対して０．８〜１．２倍（特に０．８６〜１．１７倍）程度であってもよい。両者の格子定数がこのような範囲に調整されると、相互の結晶格子が整合されるため、界面で良好な金属結合が形成されると推定される。また、前記接合面を構成する金属単体の原子半径は、金属ナノ粒子を構成する金属単体の原子半径に対して、０．８〜１．２倍（０．８５〜１．１５倍）程度であってもよい。両者の原子半径がこのような範囲に調整されると、相互の原子の溶解度が大きいため、界面で溶け合い易くなる。例えば、金属ナノ粒子が銀（ｆｃｃ、格子定数ａ：３．６１４Å（オングストローム）、原子半径：１．４４２Å）で構成されている場合、前記接合面を構成する金属としては、少なくとも銀や金（ｆｃｃ、格子定数ａ：４．０７８Å、原子半径：１．４３９Å）などの貴金属（特に周期表第１Ｂ族金属）、銅（ｆｃｃ、格子定数ａ：３．６１４Å、原子半径：１．２７６Å）、ニッケル（ｆｃｃ、格子定数ａ：３．５２４Å、原子半径：１．２４４Å）などを含む金属（金属単体及び金属合金）、特に貴金属単体（例えば、金、パラジウム（ｆｃｃ、格子定数ａ：３．８９０Å、原子半径：１．３７３Å）単体など）であるのが好ましい。すなわち、基板が窒化アルミニウム（ＡｌＮ）や酸化アルミニウム（Ａｌ２Ｏ３）などの金属化合物や非金属で構成されている場合には、接合面を表面処理するのが好ましい。表面処理の方法としては、貴金属を含む金属によるスパッタやメッキなどが挙げられる。無機素材の接合面が金属を含む場合、金属ナノ粒子を構成する金属と無機素材に含まれる金属とは異なっていてもよいが、同一又は同族の金属であるのが好ましい。
【０１２９】
接合する無機素材（Ｃ１）と無機素材（Ｃ２）とは、異種の材料であってもよく、同種の材料であってもよい。
【０１３０】
無機素材の形状は、特に限定されないが、例えば、接合する素材同士の接触面積が大きくなる形状、例えば、接合面が平面である形状（通常、板又はシート状、フィルム状、箔状）などであってもよく、ワイヤー状又は線状であってもよい。
【０１３１】
無機素材用接合剤の塗布量（乾燥前の塗布量）は、接合する無機素材の用途や大きさに応じて適宜選択できるが、強固に接合する点から、例えば、１０〜１００ｍｇ／ｃｍ２、好ましくは２０〜８０ｍｇ／ｃｍ２、さらに好ましくは３０〜７０ｍｇ／ｃｍ２程度である。
【０１３２】
塗布方法としては、特に限定されず、慣用の方法、例えば、コーターを用いる方法、スプレーコーティング、ディッピングなどが利用できる。
【０１３３】
接合剤を焼結するための焼成温度は、例えば、１５０〜５００℃、好ましくは２００〜４５０℃、さらに好ましくは２５０〜４００℃（特に３００〜３８０℃）程度であってもよい。さらに、本発明の接合剤は、低温での良好な接合強度を示すため、例えば、１５０〜２５０℃、特に１６０〜２００℃程度であってもよい。数平均粒子径２００ｎｍ以上の金属フィラーを配合した場合においても、低温の焼成で高い接合強度を実現できる。また、焼成する前に、例えば、８０〜２００℃（特に１００〜１５０℃）程度の温度で予備加熱してもよい。なお、焼成は、空気中で行ってもよく、窒素ガスやアルゴンガスなどの不活性ガス中で行ってもよい。
【０１３４】
焼成の際には加圧してもよく、例えば、１〜１０００００ｇ／ｃｍ２（≒１００Ｐａ〜１０ＭＰａ）程度の範囲から選択でき、１〜１０ＭＰａの高圧下で接合してもよいが、本発明では、低圧下、例えば、１〜５００ｇ／ｃｍ２、好ましくは３〜３００ｇ／ｃｍ２、さらに好ましくは５〜２００ｇ／ｃｍ２（特に１０〜１５０ｇ／ｃｍ２）程度の荷重を付与した状態で焼成してもよい。さらに、本発明では、無加圧又は５〜１００ｇ／ｃｍ２（特に１０〜５０ｇ／ｃｍ２）程度の低圧下でも高い接合力を実現できる。特に、無加圧でも高い接合力を実現できるため、生産性や簡便性の点で有利である。すなわち、本発明では、このような比較的低温及び低圧で焼成しても、無機素材を強固に接合できる。
【０１３５】
焼成処理時間（加熱時間）は、焼成温度などに応じて、例えば、１分〜１０時間、好ましくは２０分〜５時間、さらに好ましくは３０分〜３時間程度であってもよい。さらに、本発明では、焼成時間が短くても（特に高温焼成の場合）、高い接合力を実現でき、例えば、昇温開始から焼成終了まで、１０分〜１時間（特に２０〜４０分）程度でも高い接合強度が得られる。
【０１３６】
焼成後の無機素材の層間に形成される焼結膜（金属膜）の厚みは、用途に応じて、１μｍ〜１ｃｍ程度の範囲から適宜選択できるが、例えば、５〜３００μｍ、好ましくは１０〜２００μｍ、さらに好ましくは３０〜１００μｍ程度である。
【０１３７】
さらに、本発明の接合剤は、特別に加圧することなく無機素材を強固に接合でき、特に接合面の面積が３ｍｍ２以下の無機素材同士の接合において、高い接合力を示し、具体的には、接合面の面積が３ｍｍ２以下の無機素材同士の接合において、１０〜２００ＭＰａ、特に６０ＭＰａ以上（例えば、６０〜１８０ＭＰａ）の剪断強度（ダイシェアの剪断強度）を実現できる。接合面の面積は、例えば、０．００１〜３ｍｍ２、好ましくは０．００３〜１ｍｍ２、さらに好ましくは０．００５〜０．５ｍｍ２（特に０．００８〜０．３ｍｍ２）程度であってもよい。また、本発明の接合剤を用いれば、２０ｍｍ２の接合面積であっても、２０ＭＰａ以上の高い剪断（接合）強度を実現できる。従って、本発明の接合剤は、板状の無機素材の接合に限らず、箔、シート又はフィルムや、ワイヤー状又は線状の無機素材の接合にも適している。
【実施例】
【０１３８】
以下に、実施例に基づいて本発明をより詳細に説明するが、本発明はこれらの実施例によって限定されるものではない。
【０１３９】
実施例１
（銀コロイド粒子の合成）
硝酸銀６６．８ｇ、カルボキシル基を有する凝集助剤（Ｂ１）として酢酸（和光純薬工業（株）製、沸点１１８℃、炭素数２）１０ｇ、高分子分散剤（Ｂ２）としてカルボキシル基を有する高分子分散剤（ビッグケミー製、「ディスパービック１９０」、親水性ユニットであるポリエチレンオキサイド鎖と疎水性ユニットであるアルキル基とを有する両親媒性分散剤、溶媒：水、不揮発成分４０％、酸価１０ｍｇＫＯＨ／ｇ、アミン価０）２．０ｇを、イオン交換水１００ｇに投入し、激しく撹拌した。これに２−ジメチルアミノエタノール（和光純薬工業（株）製）１００ｇを徐々に加えたところ、反応溶液が６０℃まで上昇した。液温が５０℃に下がったところで７０℃に設定されたウォーターバス中で２時間加熱撹拌した。１時間後、銀コロイド粒子凝集体が灰色の沈殿物として得られた。この銀コロイド凝集体が沈殿した反応液に対して、３７ｋＨｚの超音波を６０分間照射したが、わずかに黄色〜茶色のプラズモン吸収を示す程度に分散したが、ほとんどの粒子は凝集したままであった。
【０１４０】
銀コロイド粒子凝集体が沈殿した反応溶液の上澄み液を除去し、イオン交換水で希釈した。静置した後、上澄み液を除去し、メタノールでさらに希釈した。再度、静置後、上澄み液を除去し、メタノールで希釈した。その後、メンブレンフィルタ（アドバンテック社製、ポアサイズ０．５μｍ）を付けた加圧ろ過機で銀コロイド粒子凝集体を回収した。
【０１４１】
（銀コロイド粒子の分析）
分散剤（Ｂ）の含有量を熱重量測定装置（ＴＧ／ＤＴＡ、セイコーインスツルメンツ（株）製、ＥＸＳＴＡＲ６０００）で測定したところ、銀１００質量部に対して２．２質量部の分散剤（Ｂ）を含有していた。なお、ＴＧ／ＤＴＡによる測定は、一分間に１０℃の速さで３０℃から５５０℃まで昇温した時の質量減少から算出した。さらに、透過型電子顕微鏡（ＴＥＭ）で銀コロイド粒子凝集体に含まれる金属ナノ粒子の粒径を測定し、粒度分布を図１に示し、各粒径域における粒子の含有量（体積換算）を表１に示す。粒子の体積は、顕微鏡写真から算出した各粒子の粒径に基づいて、各粒子が真球であると仮定して算出した。なお、図１において、縦軸は体積％を表し、横軸は粒径（ｎｍ）を表す。また、横軸の各棒グラフにおける粒径の意義について、例えば、棒グラフが１００ｎｍである場合、「１００ｎｍ」は、９０ｎｍ以上で１００ｎｍ未満の粒径範囲を示し、棒グラフの高さは、その範囲にある粒子の合計の体積％を示している。これらの結果から、得られた銀ナノ粒子の数平均粒子径を算出したところ３３ｎｍであり、粒子の全体積中において１００ｎｍ未満の粒子が６５．３体積％、１００〜２００ｎｍの粒子が３４．７体積％であった。この銀コロイド粒子凝集体を蒸留水で５×１０−４質量％に希釈し、紫外・可視光で測定した吸収スペクトルにおいて、波長３００〜４１０ｎｍに特徴的なプラズモン共鳴に基づく極大吸収波長は確認できず、ほぼ全波長領域においても極大吸収波長は確認できなかった。
【０１４２】
（銀コロイド粒子凝集体の焼成）
得られた銀コロイド粒子凝集体に、エチレングリコール（極性パラメータ６．９）を加えて銀濃度８５重量％の接合用ペーストを作製した。
【０１４３】
（金属基板の接合）
前記の接合用ペーストを、表面に金がスパッタされた窒化アルミニウム基板（１×１ｃｍ）の上に５０ｍｇ塗布した後、表面に金がスパッタされた窒化アルミ基板（窒化アルミニウム基板上にチタン、白金、金の順でスパッタされた基板（以下、同様）、０．４×０．４ｃｍ）で接合用ペーストを挟んだ。窒化アルミ基板に対して、２０ｇの分銅を載せ、荷重をかけた後、室温から３５０℃まで２０℃／分の速度で昇温した後、３５０℃を１時間保持して焼成した。形成された銀膜の厚み５μｍであった。
【０１４４】
（剪断強度の測定）
接合された基板について、大面積の基板（表面に金がスパッタされた窒化アルミニウム）を固定し、これに接着した小面積の基板（窒化アルミ基板）に端子を接触させた状態で移動させ、小面積の基板が剥離するときの接合力を剪断力として測定した。この接合力を測定する試験機は、デイジ（株）製、万能型ボンドテスター  シリーズである。この基板の剪断強度は３３ＭＰａであった。
【０１４５】
実施例２
実施例１の合成で得られた銀コロイド粒子凝集体に、エチレングリコール（極性パラメータ６．９）を加えて作製した銀濃度８８質量％のペーストをプラスチック容器（タイトボーイ）に入れ、蓋をして密閉した後、オーブンに入れて６０℃で５０時間加熱して粒子を成長させた。透過型電子顕微鏡で銀ナノ粒子の粒径を測定し、粒度分布を図２に示し、各粒径域における粒子の含有量（体積換算）を表１に示す。これらの結果から、得られた銀ナノ粒子の数平均粒子径を算出したところ３５ｎｍであり、粒子の全体積中において１００ｎｍ未満の粒子が４１．２体積％、１００〜２００ｎｍの粒子が５８．８体積％であった。この銀コロイド粒子凝集体を蒸留水で１×１０−４質量％に希釈し、紫外・可視光で測定した吸収スペクトルにおいて、波長３００〜４１０ｎｍに特徴的なプラズモン共鳴に基づく極大吸収波長は確認できず、ほぼ全波長領域においても極大吸収波長は確認できなかった。
【０１４６】
得られた銀コロイド粒子凝集体に、エチレングリコールを加えて作製した銀濃度８５質量％の接合用ペーストを用いて、実施例１と同様にして、厚み５μｍの銀膜で基板を接合して、剪断強度を測定した結果、３８ＭＰａであった。
【０１４７】
実施例３
銀コロイド粒子凝集体の合成において、高分子分散剤（Ｂ２）の使用量を５．０ｇとする以外は実施例１と同様にして、銀コロイド粒子凝集体を合成した。分散剤（Ｂ）の含有量をＴＧ／ＤＴＡで測定したところ、銀１００質量部に対して３．９質量部であった。さらに、透過型電子顕微鏡で銀ナノ粒子の粒径を測定し、粒度分布を図３に示し、各粒径域における粒子の含有量（体積換算）を表１に示す。これらの結果から、得られた銀ナノ粒子の数平均粒子径を算出したところ２０ｎｍであり、粒子の全体積中において１００ｎｍ未満の粒子が８６．９体積％、１００〜２００ｎｍの粒子が１３．１体積％であった。この銀コロイド粒子凝集体を蒸留水で５×１０−４質量％に希釈し、紫外・可視光で測定した吸収スペクトルにおいて、波長３００〜４１０ｎｍに特徴的なプラズモン共鳴に基づく極大吸収波長は確認できず、ほぼ全波長領域においても極大吸収波長は確認できなかった。
【０１４８】
得られた銀コロイド凝集体粒子に、エチレングリコールを加えて作製した銀濃度８５質量％の接合用ペーストを用いて、実施例１と同様にして、厚み５μｍの銀膜で基板を接合して、剪断強度を測定した結果、３０ＭＰａであった。
【０１４９】
比較例１
銀コロイド凝集体粒子の合成において、カルボキシル基を有する凝集助剤（Ｂ１）として酢酸の代わりにプロピオン酸（和光純薬工業（株）製、沸点１４１℃、炭素数３）１０．０ｇを用い、かつ高分子分散剤（Ｂ２）の使用量を５．０ｇとする以外は実施例１と同様にして、銀コロイド粒子凝集体を合成した。分散剤（Ｂ）の含有量をＴＧ／ＤＴＡで測定したところ、銀１００質量部に対して５．５質量部であった。さらに、透過型電子顕微鏡で銀ナノ粒子の粒径を測定し、粒度分布を図４に示し、各粒径域における粒子の含有量（体積換算）を表１に示す。これらの結果から、得られた銀ナノ粒子の数平均粒子径を算出したところ２０ｎｍであり、粒子の全体積中において１００ｎｍ未満の粒子が１００体積％、１００〜２００ｎｍの粒子が０体積％であった。
【０１５０】
得られた銀コロイド粒子凝集体に、エチレングリコールを加えて作製した銀濃度８５質量％の接合用ペーストを用いて、実施例１と同様にして、厚み５μｍの銀膜で基板を接合して、剪断強度を測定した結果、２０ＭＰａであった。
【０１５１】
比較例２
銀コロイド粒子凝集体の合成において、カルボキシル基を有する凝集助剤（Ｂ１）として酢酸の代わりにコール酸（和光純薬工業（株）製、分解温度１９８℃）１０．０ｇを用い、かつ高分子分散剤（Ｂ２）の使用量を５．０ｇとする以外は実施例１と同様にして、銀コロイド粒子凝集体を合成した。分散剤（Ｂ）の含有量をＴＧ／ＤＴＡで測定したところ、銀１００質量部に対して７．３質量部であった。さらに、透過型電子顕微鏡で銀ナノ粒子の粒径を測定し、粒度分布を図５に示し、各粒径域における粒子の含有量（体積換算）を表１に示す。これらの結果から、得られた銀ナノ粒子の数平均粒子径を算出したところ２０ｎｍであり、粒子の全体積中において１００ｎｍ未満の粒子が１００体積％、１００〜２００ｎｍの粒子が０体積％であった。
【０１５２】
得られた銀コロイド粒子凝集体に、エチレングリコールを加えて作製した銀濃度８５質量％の接合用ペーストを用いて、実施例１と同様にして、厚み５μｍの銀膜で基板を接合して、剪断強度を測定した結果、１５ＭＰａであった。
【０１５３】
【表１】
0005502434.tif 000002
【０１５４】
実施例４
実施例１で作製した接合用ペーストを、金基板（１×１ｃｍ）の上に５０ｍｇ塗布した後、金基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定した結果、３７ＭＰａであった。
【０１５５】
実施例５
実施例２で作製した接合用ペーストを、金基板（１×１ｃｍ）の上に５０ｍｇ塗布した後、金基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定した結果、３９ＭＰａであった。
【０１５６】
実施例６
実施例３で作製した接合用ペーストを、金基板（１×１ｃｍ）の上に５０ｍｇ塗布した後、金基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定した結果、３５ＭＰａであった。
【０１５７】
実施例７
実施例１で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定した結果、３７ＭＰａであった。
【０１５８】
実施例８
実施例２で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定し、破断面から接合面積を測定した結果、接合面積は１６．０ｍｍ２であり、剪断強度は４１ＭＰａであった。
【０１５９】
実施例９
実施例３で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１時間保持して焼成した。形成された銀膜の厚みは５μｍであった。剪断強度を測定した結果、３０ＭＰａであった。
【０１６０】
実施例１０
実施例２で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、２０ｇの分銅を載せ、荷重をかけた後、室温から３５０℃まで２０℃／分の速度で昇温した後、３５０℃を１４分間保持して焼成した。すなわち、昇温開始から焼成終了までの合計時間は３０分とした。形成された銀膜の厚みは５μｍであった。剪断強度を測定した結果、３９ＭＰａであり、加熱時間が短くても高い剪断強度であった。
【０１６１】
実施例１１
実施例２で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、２０ｇの分銅を載せ、荷重をかけた後、室温から１８０℃まで２０℃／分の速度で昇温した後、１８０℃を２２分間保持して焼成した。すなわち、昇温開始から焼成終了までの合計時間は３０分とした。形成された銀膜の厚みは５μｍであった。剪断強度を測定し、破断面から接合面積を測定した結果、接合面積は１６．０ｍｍ２、剪断強度は２５ＭＰａであり、焼成温度が低くても良好な剪断強度であった。
【０１６２】
実施例１２
実施例２で作製した接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、１．２５ｇの分銅を載せ、荷重をかけた後、室温から３５０℃まで２０℃／分の速度で昇温した後、３５０℃を１４分間保持して焼成した。形成された銀膜の厚みは５μｍであった。剪断強度を測定し、破断面から接合面積を測定した結果、接合面積は１．１５ｍｍ２であり、剪断強度は１５１ＭＰａであった。
【０１６３】
実施例１３
実施例２で作製した接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、１．２５ｇの分銅を載せ、荷重をかけた後、室温から１８０℃まで２０℃／分の速度で昇温した後、１８０℃を２２分間保持して焼成した。形成された銀膜の厚みは５０μｍであった。剪断強度を測定し、破断面から接合面積を測定した結果、接合面積は１．０３ｍｍ２であり、剪断強度は１３７ＭＰａであった。
【０１６４】
実施例１４
実施例２で作製した接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５０μｍであった。剪断強度を測定し、破断面から接合面積を測定した結果、接合面積は０．９４ｍｍ２であり、剪断強度は１７０ＭＰａであった。荷重がなく、自重のみ（３．３７ｍｇ／ｍｍ２）であっても高い剪断強度であった。
【０１６５】
実施例１５
実施例２で作製した接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、荷重をかけずに、室温から１８０℃まで２０℃／分の速度で昇温した後、１８０℃を２２分間保持して焼成した。形成された銀膜の厚みは５０μｍであった。剪断強度を測定し、破断面から接合面積を測定した結果、接合面積は１．２１ｍｍ２であり、剪断強度は１４９ＭＰａであった。荷重がなく、自重のみ（３．３７ｍｇ／ｍｍ２）であっても高い剪断強度であった。
【０１６６】
実施例１６
実施例２で作製した接合用ペーストを、表面に金がスパッタされた窒化アルミ基板（１×１ｃｍ）の上に６ｍｇ塗布した後、表面に金がスパッタされた窒化アルミ基板（０．１５×０．１５ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５０μｍであった。剪断強度を測定し、破断面から接合面積を測定した結果、接合面積は２．２８ｍｍ２であり、剪断強度は１０８ＭＰａであった。
【０１６７】
実施例１７
実施例２で作製した接合用ペーストを、表面に金がスパッタされた窒化アルミ基板（１×１ｃｍ）の上に８ｍｇ塗布した後、表面に金がスパッタされた窒化アルミ基板（０．１７×０．１７ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５０μｍであった。剪断強度を測定し、破断面から接合面積を測定した結果、接合面積は２．７５ｍｍ２であり、剪断強度は７８．３ＭＰａであった。荷重がなく、自重のみ（３．３７ｍｇ／ｍｍ２）であっても高い剪断強度であった。
【０１６８】
実施例１８
実施例２で作製した接合用ペーストを、表面に金がスパッタされた窒化アルミ基板（１×１ｃｍ）の上に１０ｍｇ塗布した後、表面に金がスパッタされた窒化アルミ基板（０．２×０．２ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５０μｍであった。剪断強度を測定し、破断面から接合面積を測定した結果、接合面積は３．９８ｍｍ２であり、剪断強度は５３．１ＭＰａであった。荷重がなく、自重のみ（３．３７ｍｇ／ｍｍ２）であっても高い剪断強度であった。
【０１６９】
実施例１９
実施例２で作製した接合用ペーストを、表面に金がスパッタされた窒化アルミ基板（１×１ｃｍ）の上に１０ｍｇ塗布した後、表面に金がスパッタされた窒化アルミ基板（０．２×０．２ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５０μｍであった。剪断強度を測定し、破断面から接合面積を測定した結果、接合面積は４．０９ｍｍ２であり、剪断強度は５１．４ＭＰａであった。荷重がなく、自重のみ（３．３７ｍｇ／ｍｍ２）であっても高い剪断強度であった。
【０１７０】
実施例２０
実施例２で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、荷重をかけずに、室温から１８０℃まで２０℃／分の速度で昇温した後、１８０℃を２２分間保持して焼成した。形成された銀膜の厚みは５μｍであった。剪断強度を測定し、破断面から接合面積を測定した結果、接合面積は１６．５ｍｍ２であり、剪断強度は２４．７ＭＰａであった。荷重がなく、自重のみ（３．３７ｍｇ／ｍｍ２）であっても高い剪断強度であった。
【０１７１】
実施例２１
実施例２で作製した接合用ペーストを、表面に金がスパッタされた窒化アルミ基板（１×１ｃｍ）の上に５０ｍｇ塗布した後、表面に金がスパッタされた窒化アルミ基板（０．４×０．４ｃｍ）で接合用ペーストを挟んだ。基板に対して、荷重をかけずに、室温から３５０℃まで２０℃／分の速度で昇温した後、３５０℃を１４分間保持して焼成した。形成された銀膜の厚みは５μｍであった。剪断強度を測定し、破断面から接合面積を測定した結果、接合面積は１６．２ｍｍ２であり、剪断強度は４１．０ＭＰａであった。荷重がなく、自重のみ（３．３７ｍｇ／ｍｍ２）であっても高い剪断強度であった。
【０１７２】
実施例８及び１１〜２１における接合面積と剪断強度との関係を図６及び７に示す。なお、図７は、接合面積５ｍｍ２以下の実施例について図６を拡大したグラフである。図６及び７の結果から、本発明の接合剤は、広い接合面積に亘り、高い剪断強度を示すが、接合面積３ｍｍ２以下の領域において、特に高い剪断強度を示すことがわかる。さらに、無加圧であっても、加圧と同等又はそれ以上の剪断強度を示し、１８０℃での低温焼成でも優れた剪断強度を示すことがわかる。
【０１７３】
実施例２２
実施例２で得られた銀コロイド粒子凝集体のペーストに、銀粉末（三井金属鉱業（株）製、型番「ＳＱ０５Ｓ」、体積基準の粒度分布曲線において積算値が５０％未満の粒径値Ｄ５０：０．８２μｍ、Ｄ１０：０．４５μｍ、Ｄ９０：１．５０μｍ）を銀ナノ粒子１００質量部に対して１００質量部添加し、銀濃度８９．５質量％のペーストを作製した。このペーストは元のペースト以上の流動性を有していた。銀コロイド粒子凝集体に含まれる分散剤（Ｂ）の含有量をＴＧ／ＤＴＡで測定したところ、銀１００質量部に対して１．８質量部であった。
【０１７４】
この接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、荷重をかけずに、室温から１８０℃まで２０℃／分の速度で昇温した後、１８０℃を２２分間保持して焼成した。形成された銀膜の厚みは１００μｍであった。剪断強度を測定し、破断面から接合面積を測定した結果、接合面積は１．２ｍｍ２であり、剪断強度は６０ＭＰａであった。大粒子を含んでおり、また１８０℃という低温であるにも拘わらず、高い剪断強度を有していた。
【０１７５】
比較例３
銀粉末（三井金属鉱業（株）製、型番「ＦＨＤ」、体積基準の粒度分布曲線において積算値が５０％未満の粒径値Ｄ５０：０．３１μｍ、Ｄ１０：０．２４μｍ、Ｄ９０：０．５１μｍ）にエチレングリコールを加えて、銀濃度９０質量％のペーストを作製した。
【０１７６】
この接合用ペーストを、表面に金がスパッタされた窒化アルミ基板（１×１ｃｍ）の上に３ｍｇ塗布した後、表面に金がスパッタされた窒化アルミ基板（０．１×０．１ｃｍ）で接合用ペーストを挟んだ。基板に対して、荷重をかけずに、室温から１８０℃まで２０℃／分の速度で昇温した後、１８０℃を２２分間保持して焼成した。形成された銀膜の厚みは１００μｍであった。剪断強度を測定し、破断面から接合面積を測定した結果、接合面積は１．１２ｍｍ２であり、剪断強度は１０ＭＰａであった。２００ｎｍ以上の大粒子のみからなるペーストでは、１８０℃という低温での高強度の接合は困難であった。
【０１７７】
実施例２３
実施例２で作製した接合用ペーストを、銀基板（１×１ｃｍ）の上に１０ｍｇ塗布した後、銀基板（０．２×０．２ｃｍ）で接合用ペーストを挟んだ。荷重をかけずに室温から３５０℃まで２０℃／分の速度で昇温した後、３５０℃を１４分間保持して焼成した。形成された銀膜の厚み１０μｍであった。剪断強度を測定し、破断面から接合面積を測定した結果、接合面積は３．９５ｍｍ２であり、剪断強度は６０ＭＰａであった。
【０１７８】
実施例２４
実施例２で作製した接合用ペーストを、パラジウム基板（１×１ｃｍ）の上に１０ｍｇ塗布した後、パラジウム基板（０．２×０．２ｃｍ）で接合用ペーストを挟んだ。荷重をかけずに室温から３５０℃まで２０℃／分の速度で昇温した後、３５０℃を１４分間保持して焼成した。形成された銀膜の厚み１０μｍであった。剪断強度を測定し、破断面から接合面積を測定した結果、接合面積は４．０５ｍｍ２であり、剪断強度は４０ＭＰａであった。
【０１７９】
なお、実施例１〜２４では、目的の銀膜に対して過剰量の導電性ペーストを大面積の基板の上に塗布し、小面積の基板で挟んだ後、余剰のペーストを除去して焼成した。
【０１８０】
実施例２５
実施例２で作製した接合用ペーストを、無酸素銅基板（１×１ｃｍ）の上に０．６ｍｇ塗布した後、無酸素銅基板（０．２５×０．２５ｃｍ）で接合用ペーストを挟んだ。荷重をかけずに室温から３５０℃まで２０℃／分の速度で昇温した後、３５０℃を１４分間保持して焼成した。形成された銀膜の厚み１５μｍであった。剪断強度を測定し、破断面から接合面積を測定した結果、接合面積は６．２５ｍｍ２であり、剪断強度は２７ＭＰａであった。
【０１８１】
実施例２６
実施例２で作製した接合用ペーストを、無酸素銅基板（１×１ｃｍ）の上に０．６ｍｇ塗布した後、無酸素銅基板（０．２５×０．２５ｃｍ）で接合用ペーストを挟んだ。荷重をかけずに、窒素雰囲気のベルト炉（酸素濃度：１〜５ｐｐｍ、ベルト炉に投入してから取り出しまでの時間：６０分間、ピーク温度３５０℃での保持時間：２０分間）で焼成した。形成された銀膜の厚み１５μｍであった。剪断強度を測定し、破断面から接合面積を測定した結果、接合面積は６．２５ｍｍ２であり、剪断強度は１３ＭＰａであった。
【０１８２】
実施例２７
実施例２で作製した接合用ペーストを、無酸素銅基板（１×１ｃｍ）の上に０．６ｍｇ塗布した後、無酸素銅基板（０．２５×０．２５ｃｍ）で接合用ペーストを挟んだ。荷重をかけずに、室温から１２０℃まで２０℃／分の速度で昇温した後、１２０℃を２５分間保持し、予備加熱した後、窒素雰囲気のベルト炉（酸素濃度：１〜５ｐｐｍ、ベルト炉に投入してから取り出しまでの時間：６０分間、ピーク温度３５０℃での保持時間：２０分間）で焼成した。形成された銀膜の厚み１５μｍであった。剪断強度を測定し、破断面から接合面積を測定した結果、接合面積は６．２５ｍｍ２であり、剪断強度は１８ＭＰａであった。
【０１８３】
実施例２８
実施例２で作製した接合用ペーストを、銅にニッケルを電気メッキした基板（１×１ｃｍ、表面粗さ０．７４μｍ）の上に０．６ｍｇ塗布した後、銅にニッケルを電気メッキした基板（０．２５×０．２５ｃｍ、表面粗さ０．０５５μｍ）で接合用ペーストを挟んだ。荷重をかけずに室温から３５０℃まで２０℃／分の速度で昇温した後、３５０℃を１４分間保持して焼成した。形成された銀膜の厚み１５μｍであった。剪断強度を測定し、破断面から接合面積を測定した結果、接合面積は６．２５ｍｍ２であり、剪断強度は１０ＭＰａであった。
【０１８４】
実施例２９
実施例２で作製した接合用ペーストを、銅にニッケルを電気メッキした基板（１×１ｃｍ、表面粗さ０．７４μｍ）の上に０．６ｍｇ塗布した後、銅にニッケルを電気メッキした基板（０．２５×０．２５ｃｍ、表面粗さ０．０５５μｍ）で接合用ペーストを挟んだ。荷重をかけずに、窒素雰囲気のベルト炉（酸素濃度：１〜５ｐｐｍ、ベルト炉に投入してから取り出しまでの時間：６０分間、ピーク温度３５０℃での保持時間：２０分間）で焼成した。形成された銀膜の厚み１５μｍであった。剪断強度を測定し、破断面から接合面積を測定した結果、接合面積は６．２５ｍｍ２であり、剪断強度は９ＭＰａであった。
【０１８５】
実施例３０
実施例２で作製した接合用ペーストを、銅に無電解ニッケルメッキした基板（１×１ｃｍ、表面粗さ０．５７μｍ）の上に０．６ｍｇ塗布した後、銅に無電解ニッケルメッキされた基板（０．２５×０．２５ｃｍ、表面粗さ０．５７μｍ）で接合用ペーストを挟んだ。荷重をかけずに室温から３５０℃まで２０℃／分の速度で昇温した後、３５０℃を１４分間保持して焼成した。形成された銀膜の厚み１５μｍであった。剪断強度を測定し、破断面から接合面積を測定した結果、接合面積は６．２５ｍｍ２であり、剪断強度は２０ＭＰａであった。
【０１８６】
実施例３１
実施例２で作製した接合用ペーストを、表面に金がスパッタされた窒化アルミニウム基板（１×１ｃｍ）の上に３ｍｇ塗布した後、表面に金がスパッタされた窒化アルミニウム基板（０．１×０．１ｃｍ）で接合用ペーストを挟んだ。荷重をかけずに室温から１２０℃で３０分間保持して焼成した。形成された銀膜の厚み３０μｍであった。剪断強度を測定し、破断面から接合面積を測定した結果、接合面積は１．０６ｍｍ２であり、剪断強度は２４ＭＰａであった。１２０℃という低温においても、ハンダ並みの強度で接合可能であった。
【０１８７】
実施例３２
実施例２で作製した接合用ペーストを、表面に金がスパッタされた窒化アルミニウム基板（１×１ｃｍ）の上に３ｍｇ塗布した後、表面に金がスパッタされた窒化アルミニウム基板（０．１×０．１ｃｍ）で接合用ペーストを挟んだ。荷重をかけずに室温から１２０℃で６０分間保持して焼成した。形成された銀膜の厚み３０μｍであった。剪断強度を測定し、破断面から接合面積を測定した結果、接合面積は１．０３ｍｍ２であり、剪断強度は３６ＭＰａであった。１２０℃という低温においても、ハンダ並みの強度で接合可能であった。
【産業上の利用可能性】
【０１８８】
本発明の無機素材用接合剤は、金属素材などの無機素材同士、例えば、金属板などの無機基板などを強固に接合可能な接合剤として利用できる。さらに、本発明の接合剤は、無加圧であっても高い接合力を実現できるため、精密機器、電子機器・部品、半導体などの基板や回路、フリップチップボンド、リードフレーム接合などの用途に特に有用である。
【図１】
0005502434.tif 000003
【図２】
0005502434.tif 000004
【図３】
0005502434.tif 000005
【図４】
0005502434.tif 000006
【図５】
0005502434.tif 000007
【図６】
0005502434.tif 000008
【図７】
0005502434.tif 000009